(57)【要約】頭皮から毛髪を選択的に取り込むための装置は、少なくとも１つのフックアプリケータを有し、少なくとも１つのフックアプリケータは、頭皮から毛髪を選択的に取り込むための装置は、毛髪を巻き込むために回転するフックと、その中にヘアカラーを有する髪カラー容器と、ヘアカラーを巻き込んだ毛髪に塗布する適用するための方法とを有する。少なくとも１つのフックアプリケータは、フックの表面と、少なくとも１つのフックアプリケータの本体部分の表面との間に、高粘度の液体ヘアカラーをより良く収容するためのヘアカラー出口をその中に有する少なくとも１つのフックアプリケータの本体部の表面との間にチャンネルを形成する。フック及び／又は少なくとも１つのフックアプリケータは、巻き込んだ毛髪を保持する凹部を有し、塗布のためにヘアカラーを凹部に充填することを可能にする。トリガー機構は、最初にフックを回転させて毛髪を巻き込み、その後、ヘアカラーの容器を圧搾して、ヘアカラーを巻き込んだ毛髪に塗布する。【選択図】図２５Ａ
2018535777.tif 000002
【特許請求の範囲】
【請求項１】
少なくとも１つのフックアプリケータを有する頭皮から毛髪を選択的に巻き込むための装置であって、少なくとも１つのフックアプリケータは、毛髪を巻き込むために回転するフックと、その中にヘアカラーを有するヘアカラー容器と、巻き込んだ毛髪にヘアカラーを塗布する方法を用い、
改良は、
ａ）少なくとも１つのフックアプリケータは、フックの表面と毛髪を有する少なくとも１つのフックアプリケータの本体部分の表面との間にチャンネルを形成し、少なくとも１つのフックアプリケータの本体部分の表面は、高粘度の液体ヘアカラーを良好に収容するために、その中にヘアカラー出口を有するように構成され、
ｂ）前記少なくとも１つのフックアプリケータは、間隔をあけて配置された一対の足を含み、各足は、連続した平坦な長さの頭皮接触面を有し、フックは、離間した足に対して配置され、
前記フックは、フックが頭髪を巻き込むために回転するとき、フックと離脱した足の間にはさみ作用を形成するように離間した足に対して位置し、
ｃ）そこにおいては、フックおよび／または少なくとも１つのフックアプリケータは、巻き込まれた毛髪を保持するための凹部を含み、凹部を充填するためのヘアカラーを巻き込まれた毛髪に塗布することを可能にし、一方または両方の足は、巻き込まれた毛髪を支持するためのチャンネルを選択的に含むことができ、
ｄ）毛髪を巻き込むためにフックを最初に回転させ、次いで、ヘアカラー容器を絞って、少なくとも１つのフックアプリケータを介して毛髪にヘアカラーを塗布するトリガー機構、を含む、装置
【請求項２】
前記トリガー機構は、プレートをさらに備え、前記プレートは、前記ヘアカラー容器に対して平行であるか、または角度をつけられており、絞るように前記ヘアカラー容器に押し付けられ、フック用アプリケータを介して巻き込んだ毛髪に塗布するように適合される、請求項１に記載の装置。
【請求項３】
各チャンバーが異なるヘアカラーを含む、二重のチャンバーを含み、
前記ヘアカラー容器から絞られた後、および、巻き込まれた髪にヘアカラーを塗布する前に、共に異なるヘアカラーと混合するためのミキサーをさらに含み、
あるいは、ヘアカラーおよび破裂可能な袋を含む１つのチャンバーの１つを含み、破裂可能な袋は別のヘアカラーを含み、前記トリガー機構は、ヘアカラーを混合させるために破裂可能な袋を破裂させることができる、請求項１に記載の装置。
【請求項４】
少なくとも１つのフックアプリケータは、本体部を有し、前記本体部は装置のフレームに固定され、フックが回転するとき、フレームに関して移動しない、請求項１に記載の装置。
【請求項５】
複数のフックアプリケータをさらに備える、請求項１に記載の装置。
【請求項６】
前記離間した脚部の幅は、前記装置のオペレータが前記フックおよび髪の巻き込みの回転をよりよく見ることを可能にするために、前記少なくとも１つのフックアプリケータの幅に近似する、請求項１から５のいずれか一項に記載の装置。
【請求項７】
毛染めのために髪を巻き込む方法において、そこでは、毛髪は少なくとも１つのフックアプリケータを用いて頭皮から巻き込まれ、少なくとも１つのフックアプリケータは、毛髪を巻き込むように回転するフックと、巻き込まれた毛髪にヘアカラー容器からヘアカラーを塗布するステップを使用し、改良は、請求項１に記載の装置を毛髪の着色に使用する、方法。
【請求項８】
複数のフックアプリケータを用いて前記ヘアカラーを塗布することをさらに含む、請求項７に記載の方法。
【請求項９】
前記間隔をあけた足は、前記フックアプリケータの幅に近い幅を有し、前記装置のオペレータが、前記フックの回転および毛の巻き込みをよりよく見ることを可能にする、請求項７に記載の方法。
【請求項１０】
前記フックの遠位端は点を有し、前記点は前記フックの側方端部または前記フックの前記遠位端の中間にある、請求項１に記載の装置。
【請求項１１】
前記各足部は、ヘアアクセスの窪みチャンネルを有し、オプションとして、前記足部、前記足部および前記ブリッジ部の間のブリッジは、前記フックの端部を受け入れる空間を形成する、請求項１に記載の装置。
【請求項１２】
前記ヘアカラー出口の周囲を取り囲むように構成された泡の層をさらに含む、請求項１に記載の装置。
【請求項１３】
前記フック上の歯と、前記ヘアカラー出口において前記本体部分の内側表面に対向して配置されたガスケットとをさらに含み、前記歯は、前記フックが回転してヘアカラーがヘアカラー出口から出るのを許容するとき前記ガスケットを押す位置にある、請求項１に記載の装置。
【請求項１４】
各フックアプリケータは、ヘアカラー用の供給ラインを有し、各供給ラインは、供給ラインを通るヘアカラーの流れを止めて、ヘアカラーの塗布を各フックアプリケータに対して個別に制御できる機構を有する、請求項５に記載の装置。
【請求項１５】
前記フックアプリケータは、前記装置の横軸に沿って配置され、前記フックアプリケータは、前記横軸に対して角度を付けられている、請求項２に記載の装置。
【請求項１６】
前記本体部分は、前記巻き込まれた毛髪上に固体又は半固体のヘアカラーを分配するように構成される、請求項１に記載の装置。
【請求項１７】
前記フレームの端部は、使用中に前記装置のヘッドが屈曲し湾曲することを可能にするためのローラ継手および／またはスプリングを含む、請求項２に記載の装置。
【請求項１８】
各フックアプリケータが供給ラインを有し、各供給ラインがマニホールドに接続され、マニホールドがヘアカラー用の容器に接続される、請求項２に記載の装置。
【請求項１９】
前記トリガー機構は、ラックとピニオンの機構、または毛髪の巻き込み機構のために前記フックを回転させる回転レバー機構をさらに備える、請求項１に記載の装置。
【請求項２０】
前記トリガー機構は、毛髪の巻き込み機構のために前記フックを回転させる回転レバー機構をさらに備える、請求項１５に記載の装置。
【請求項２１】
前記回転レバー機構は、前記フックアプリケータが頭皮の湾曲に適合することを可能にする、請求項２０に記載の装置。
【請求項２２】
前記少なくとも１つのフックアプリケータ、前記少なくとも１つのフックアプリケータ、および前記フックの回転を可能にする前記トリガー機構の一部に対するコネクタを有するマニホールドをさらに含み、前記ヘッドアセンブリは装置から取り外し可能である、請求項１に記載の装置。
【請求項２３】
複数のフックアプリケータをさらに備える、請求項２２に記載の装置。
【請求項２４】
異なるサイズのフックアプリケータ、異なる数のフックアプリケーション、または異なるサイズの異なる数のフックアプリケータを有する、複数の異なるヘッドアセンブリをさらに備える、請求項２３に記載の装置。
【請求項２５】
前記毛髪をさらに飽和させるために、前記フックアプリケータに隣接して配置された飽和チャンバーをさらに備える、請求項１に記載の装置。
【請求項２６】
前記飽和チャンバーは、前記フックに取り付けられたフック拡張部と、前記足部の１つに取り付けられた足拡張部とを含む、請求項２５に記載の装置。
【請求項２７】
少なくとも１つのフックアプリケータを有する頭皮から毛髪を選択的に巻き込みさせるための装置であって、前記少なくとも１つのフックアプリケータは、前記毛髪を巻き込むために移動する複数のフックと、ヘアカラーを有するヘアカラー容器と、巻き込まれたヘアカラーを塗布する手段とを含み、フックアプリケータは、複数の櫛歯を有する櫛を含み、各フックは、櫛の隣接する歯の間に毛髪を巻き込ませるように配置される、装置。
【請求項２８】
前記飽和チャンバーは、取り込んだ髪にヘアカラーを絞るように位置された柔軟な壁を含む請求項２５に記載の装置。
【請求項２９】
回転中のフックの移動は調整可能である請求項１に記載の装置。
【請求項３０】
前記飽和チャンバーは、その容積を充填するシールを有するか、または前記飽和チャンバーが、ヘアカラーの容量を受けるための空間を残すシールを有する、請求項２５に記載の装置。
【発明の詳細な説明】
【技術分野】
【０００１】
本発明は、一般的には人の毛髪の着色に関し、より詳細には、多様な方法で人の毛髪を迅速かつ効果的に着色するための改良された方法および装置に関する。
【背景技術】
【０００２】
ヘアカラーの多様化は、プロの美容業界で行われている人気のあるサービスである。この方法は、人の髪の毛の１つ以上の部分の分離と、それに続く髪の着色方法または化学物質による分離された髪の処理とを含む。人の髪の毛の特定の部分を残りの部分から分離するのに必要な技術的スキルは、この手順のほとんどをヘアサロンの範囲内に保つ。
【０００３】
毛髪を強調する従来の一般的な方法は、米国特許第５，５６２，１１１号に記載されている。ここに開示された方法は、櫛ですかれた毛髪の頭皮にしっかりと嵌め込まれたキャップを含む。
【０００４】
その後、髪の毛をかぎ針でキャップの穴に通し、露出した髪を着色して多様な効果を作り出す。
【０００５】
この方法は、化学的な毛髪の着色がトリートメントを目的としない毛髪上ににじみ出るのを防止し、かつ多種多様な外観を作り出すことにおいて幾分成功する可能性があるが、キャップ内の個々の穴を通して毛髪を引き出す必要があるため、技術者が、所望の領域からの毛髪の一部分を、穴を取り囲む領域からの望まない毛髪の部分を意図せずに引きずることなく一貫して引き出すことは困難である。最終的な結果は予測不可能であり、時には非常に望ましくない。さらに、利用可能な多様なパターンは、キャップ内の穴の位置および分布によって決定される。この方法のさらなる欠点は、毛根を効果的に着色できないこと、選択されていない毛髪の隣接する部分への色の染み出しを一貫して防止できないこと、および小さな穴を通して毛髪を繰り返し引っ張ることにより受益者が経験する痛みを含むことである。米国特許第４，１６５，７５４号は、頭皮の上にキャップを使用する毛ハイライト方法の別の例である。この方法は、米国特許第５，５６２，１１１号特許と同じ欠点を有する。
【０００６】
あるいは、多様な方法でヘアカラーを塗布するために使用される様々なコーミング方法がある。一般的な方法は、櫛を液状のヘアカラーに浸漬し、櫛を処理する髪の毛を通して引っ張ることを含む。比較的大きな髪の毛の部分しかこのように処理することができず、オペレータがトリートメントを意図していない髪への色の染み出しを避けることは困難である。米国特許第３，３４９，７８１号は、ヘアスタイリストが毛髪を部分に分け、一連の離間した房を有するブラシを使用して、ランダムな髪に線をブラッシングする方法を記載している。ブラシの房は、毛髪組成物に浸漬され、ブラシが着色すべき髪を横切って引き寄せられ、その上に着色剤が堆積されるまで組成物を保持する。この方法は、隣接する毛髪への色の染み出しを避けるために、トリートメント前とトリートメント後にストリーク処理された分割体の下および上に配置された保護シートを利用する。しかしながら、このブラシ法を用いると、扱う毛髪の種類を選択することが困難になる。したがって、ヘアトリートメントの配置に対する制御は最小限である。したがって、毛髪のより大きな部分が処理され、より不自然な髪の着色効果をもたらす。
【０００７】
米国特許第５，３３７，７６５号は、毛髪組成物にブラシ本体及び着脱可能な剛毛モジュールを適用して、ブラシがユーザ定義の多様なパターンを実現するように構成することができるモジュラブラシを記載している。しかしながら、この構成は、米国特許第３，３４９，７８１号特許について上述したのと同じ制限を提示する。
【０００８】
当業者によってより一般的に使用される技術は、従来の尾の櫛で織ることによって毛を選択し、次いで選択された部分をアルミニウム箔（または何らかの他のバリア材料のシート）上に置き、次いでヘアカラーの組成物で塗装する。このプロセスで使用することができる金属箔用の分配装置は、米国特許第６，２３７，６０８号に開示されている。箔法は、より小さくより独立した、より一貫して多様な部分を頭皮に近づけて扱うことを可能にし、より自然に多様な最終的な外観をもたらす。この方法を使用するとき、周囲の毛髪への色の染み出しの可能性が低減される。しかし、他のヘアカラーの多彩な技術に勝るこれらの利点を有するとしても、フォイル法は非常に時間がかかり高価である。平均的な顧客の場合、この毛髪着色方法を完了するのに約３０〜５０分が必要である。
【０００９】
織られて処理のためにバリヤー材料の中に置かれた色処理された部分を含むヘアカラーの多様な技術は、自然で魅力的な多様な外観を生み出す。ヘアカラーの多様化の分野での進歩は、製織、色処理およびバリア材料を伴うことになる。これらの３つの一般的な系統的要素のうちの１つ以上を進めることを試みる技術を参照する。
【００１０】
米国特許出願第２００５／００２８８３５号は、「バリア材料を毛髪の束に分配するための装置」を開示している。この装置（いくつかの実施形態は大きく異なるが）は、ロール端部にヒンジ止めされた２つのテープディスペンサからなる。２つのテープの面が接触するようにテープディスペンサの端部（ロール端部の遠位側）が開閉する。  ２つのテープの間に毛の部分を選択してカプセル化することができる。一方または両方のテープの面は、化学ヘアカラー成分の一方または両方で処理される。実施形態はまた、毛髪がテープ内に封入される直前にヘアカラーを塗布するための装置内の手段を含む。この方法は、時間と製品を節約するが、多様な目的のために複数の選択されたヘア部分を自動的に素早く正確に織り直す能力がまだ不足している。
【００１１】
米国特許第５，１５２，３０６号は、規則的な歯を有し、櫛の脊柱を横切って交互に付着した内側に棘付きの歯を有する毛織りの櫛を開示している。実際には、毛の薄い部分が頭皮から離れている。櫛の歯は、次に離型材に押し込まれ、引き抜かれる。棘のある歯は髪の部分を拾い、真っすぐな歯は髪の部分を拾わない。オペレータは、引っ掛けられた髪をつかみ、櫛を引っ張って、引っ掛けられない髪を落とす。この装置は、手作業による毛織り方法よりも速く、より一貫した織りを可能にする。しかしながら、色やバリア材を塗布する手段や方法はない。さらに、この装置は、予測可能な方法で髪の毛の部分を効果的に拾い上げることも、湾曲した頭皮表面に対して髪を拾うこともない。
【００１２】
米国特許第５，０２４，２４３号は、櫛／カラーアプリケータの組合せを開示している。この装置は、ケミカルカラー組成物で満たされた容器にねじ込む中空スパインを有するくしを開示する。容器が圧搾されると、化学組成物は、くしの中空スパインを満たし、くしの歯の間に配置された小さな穴を通して背骨を出る。この装置は多様なヘアカラーの外観を生ずるが、多様な毛髪は残りの部分から織り込まれていないので、色の染み出しのリスクが大きく、装置は技術者に高度な制御または精度を与えることができない。
【００１３】
米国特許第５，３０３，７２２号は、光学的増感剤および溶液中で水素ラジカルを提供することができる化合物（エタノールが好ましい）を使用することを含むヘアライトニング方法を記載している。溶液を毛髪に適用し、次いで５〜６０分間飽和させる。次いで、毛髪に低強度の紫外光（典型的には櫛またはフードによって提供される）を適用して、溶液中の２つの成分の間で水素を交換させ、それにより毛幹の内部に過酸化水素を生成する。過酸化物は光によって励起され、ヘアカラー素（メラニン）の一部が破壊される。その結果、処理された毛髪は軽くなる。この同じ光化学反応を使用して、米国特許第５，３０３，７２２号特許は、毛髪の頭部全体が感光性溶液で飽和され、続いて手動製織によって毛髪の小さな部分が分離される方法を記載している。分離されていない毛のみが不透明な材料でマスクされ、分離された毛のみが低強度の紫外線に曝される。その結果、分離された髪の毛の間で  ‘ハイライト’効果が得られる。米国特許第５，３０３，７２２号特許に記載された技術は、かなりの時間および手作業を必要とする。
【００１４】
米国特許第４，３２５，３９３号は、毛髪着色のためのフック機構を開示している。この器具は、その上部に操作スライド部材によって器具の本体の底面に対して開放位置と閉鎖位置との間で移動可能な、等間隔に離間された正確なフック部材を複数有する。このようにして処理のためにヘアラインの間隔を置いたグループに引っ掛けて係合させた後、器具を頭皮から持ち上げて、漂白剤または染料処理のために髪グループを分離する。この実施形態は、オペレータに本発明に固有の制御の程度をほぼ提供しない。装置の底面は湾曲しているが、頭部の湾曲に柔軟に適合しない。これは、装置が毛髪の部分を一様に選択することを禁止する。
【００１５】
さらに、米国特許第４，３２５，３９３号特許は、フックが閉位置にあるときに、フック付き毛髪が快適な張力をそれに加えることができる手段を提供していない。頭皮から髪を引き離すことはできるが、緊張に抗して握ることはできない。オペレータが装置を頭から離して引っ張ると、フックが滑る。最後に、米国特許第４，３２５，３９３号特許は、カラー組成物を塗布することができず、揺動フックによって頭皮との安全かつ制御された接触を確実にする手段も含んでいない。
【００１６】
米国特許出願第２００６／００４２６４３号は、ヘアハイライティングツールを開示している。しかしながら、開示された発明は、本発明によって克服される複数の問題に対処するものではない。実際に、それは毛髪の着色の制御および制御に関するいくつかの問題を悪化させる可能性がある。
【００１７】
米国特許第７，５３０，３５８号は、上記の多くの問題を克服するが、より高い粘度の色を塗布するという問題に対処していない。  ３５８特許は、本発明のように、高粘度の液体ヘアカラーをカラー容器から制御された方法で毛髪の巻き込み部分に放出する手段を提供していない。米国特許第７，５３０，３５８号特許は、ウィッキング（ｗｉｃｋｉｎｇ）作用によって低粘度のヘアカラーを巻き込んだ部分に分配するアプリケータに対して毛髪を巻き込むためにのみ有用なフックを開示している。本発明は、閉鎖位置にあるときに制御された方法で高粘度の液体ヘアカラーを巻き込み部分に流すフックおよびアプリケータ装置を特徴とする。また、米国特許第７，５３０，３５８号特許のフック機構は非常に複雑であり、アプリケータまでの毛髪のフックと巻き込み部分を持ち上げる機構に依存している。本発明は機能を失うことなくこの機構の必要性を排除する。さらに、米国特許第７，５３０，３５８号特許は、フックを光制御された頭皮との接触に限定することを担う機械的手段を記載している。この機械的手段は、２つの足を４つの頭皮接触点に分離して構成する。フックの前の２つの接触点およびフックの後ろの２つの接触点は、フックの頭皮に向かって回転するフックチャンネルを形成する。本発明は、同様に、フックを、フックの前方および後方に配置された２つの頭皮接触点を有する２フィートを使用して、頭皮と軽く制御された接触に限定する構成も含む。本発明の好ましい実施形態は、毛髪が、フックの内側と頭皮接触点の側縁または脚部との間の閉鎖位置に近づくにつれて毛髪を集めることによって、「はさみ作用」を異なるように採用して、毛髪の巻き込んだ部分を引きずり、かつ、集める。アプリケータノズルの幅のみを占める脚部があることを考慮すると、これは、フックの旋回全体をオペレータの全面的な視野のノズルの方に残す。このよりオープンなフック構成は、オペレータが米国特許第７，５３０，３５８号特許で許容されるよりも、巻き込み部分上の色の塗布のより良好なビューと同様に、毛髪の巻き込みのより良い視野を可能にする。最後に米国特許第７，５３０，３５８号特許と異なり、本発明は、カラー成分が分配されたままにしておき、色が巻き込み部分に接触する直前に混合する。
【００１８】
上に引用した先行技術はすべて、特定のニーズに対処している。しかしながら、ヘアサロンの範囲内で現在最も普及している手動ヘアカラー多彩技術を実行するときに遭遇する時間、一貫性および制御の問題を解決するものはない。さらに、本開示で言及された全てを行う能力を与えるために、機械的要素を単一の装置にうまく組み合わせることはできなかった。したがって、低および高粘度の着色剤を安全に、正確に、予測可能に、迅速に塗布する毛髪着色装置が必要とされている。
【発明の概要】
【００１９】
ヘアカラー多彩装置のこの実施形態は、ハンドルの前面にスライドする予め装填されたカラー容器と、ハンドルの単一の絞りによって連続的に係合される髪の巻き込みおよび色分配機構とを特徴とする。装置は、装置の後部から離れて延びる棒状部材を用いて、一方の手で頭皮を横切って毛髪を分離して使用される。この部材は分離ステムと呼ばれる。次いで、装置は、装置の頭部が、毛髪の分離に面して整列するように、回転される。装置の頭部は、分離が装置の頭部の接触点のラインの１／１６インチから１／４インチまで、または、それより上が見えるように、分離に沿って配置される。装置の頭部は、今や装置の頭部が頭皮の湾曲部に合致するように、分離部に対して押し付けられる。この順応した配置では、各フックは正しい位置にあり、アプリケータノズルに対して毛を正確に持ち上げる。装置を頭皮に軽く合わせた状態で、オペレータはハンドルをゆっくりと握る。オペレータがハンドルをゆっくりと握るにつれて、フックは頭皮を同時に横切って回転し、髪の毛の巻き込み部分をアプリケータのノズルに苦痛なく押す。オペレータが引き続きハンドルをゆっくりと締め付けると、絞りプレートがカラー容器に圧力を加え始める一方で、フックが係合したままである。これにより、オペレータは、ヘアカラーを塗布することなく、髪の巻き込み部分を保持し、スライドさせることができる。引き続きハンドルを握ると、絞りプレートのカラー容器への圧力により、液体カラーがカラー容器から出て、それによってアプリケータノズルの外に出て、巻き込んだ髪に移動する。ここで、オペレータは、ハンドルに制御された圧力を維持しながら、注意深く頭皮から装置を引き離すことができる。このようにして、毛髪は、毛髪の巻き込み部分に均一に付着する。この時点で、オペレータは、髪の巻き込み部分を保持し続けながら、絞り圧力の適用を止めることができる。一方の手で毛髪がまだ引き込まれて、色が堆積していない一方で、オペレータは自由な手で色処理された部分の上にバリア材料を配置するか、または単に色処理した毛髪を残りの毛髪に戻す。この塗布プロセスは、１つの多様なヘアカラーサービスで何度も繰り返すことができる。
【００２０】
装置の変形形態は、単一のフックアプリケータと、最大６つ以上のフックアプリケータとを含む任意の数のフックアプリケータを使用することができる。１つ、場合によっては３つまでのフックアプリケータを使用する装置のある変形形態は、曲率コンフォメーション機能を必要としない。
【００２１】
フックアプリケータサイズが異なることによって、装置の実施形態が様々なサイズの毛髪の個々の部分を巻き込むことを可能にする。
【００２２】
この装置の他の実施形態は、様々な取り外し可能なヘッドユニットを特徴とする。これにより、単一の装置ハンドルが、異なる数およびサイズのフックアプリケータをそれぞれ有する様々なヘッドユニットに対応することが可能になる。
【００２３】
さらに別の実施形態では、オペレータは、ヘアカラーの流れをフックアプリケータのいくつかに制限しながら、装置が使用されている間に色が他のものを通って流れることを可能にし、他の実施形態は、レバーシステムの形態でフック／フック（複数）を回転するラックピニオンギア駆動に対して機械的代案を供給する。
【００２４】
本発明の初期の実施形態では、各フックは、対応する各アプリケータから離れた開放位置から、各アプリケータの底部の周りに閉じられた各フックの各空洞を見つける閉鎖位置まで旋回する。フックが開位置から閉位置に移動すると、毛の部分がフックとアプリケータとの間の閉じた位置に引き込まれ、毛巻き込み部分がアプリケータの出口開口の真下に自動的に位置決めされる。今、色が開口部を出るとき、色は、髪の巻き込み部分の上部に直接堆積する。オペレータが装置を頭皮から引き離すと、巻き込まれた部分は巻き込まれたままであり、したがって閉じた位置を通って運ばれる。これにより、ヘアカラーは、各部分に色の連続したビーズの形で付着する。
【００２５】
本発明の追加の実施形態は、閉じた位置を出る前に、付着した部分にヘアカラーの堆積したビーズを完全に飽和させるためのこれらの追加の特徴の目的を含む。これらの付加的な構造的特徴は、毛髪の巻き込み部分の周りで閉じており、この閉鎖位置では、装置の飽和チャンバーと呼ばれる。この飽和チャンバーは、毛髪の巻き込み部分上への第２の色の塗布を構成し、装置の最初の閉鎖位置において第１の色の塗布に加えて行われる。
【００２６】
飽和チャンバーの実施形態に加えて、装置のくし型の実施形態と、フックアプリケータが巻き込む毛髪部分のサイズをオペレータが調整することを可能にする機械的な特徴を含む実施形態とが提示される。
【００２７】
他の実施形態は、毛の処理のためにより多くの色を保持するための空間を作り出すためにシールを使用する変更された飽和チャンバーと、毛束を減少させるためにフックのより多くの移動を可能にするように変更された足ブリッジ構造を有する飽和チャンバーと、改良されたラックの動きのためのワンピースのトップハンドルおよびヘッドマウントと、改良されたラックスライド機構と、ラックスライドアセンブリを介してフックの移動距離を調整する機構と、安全、美学、および人間工学のためにヘッド機構を覆うヒンジ付きヘッドフードと、カラー容器の設置および／または除去のためにマニホールドを途中で移動させるためのマニホールドリトラクタと、を含む。
【図面の簡単な説明】
【００２８】
以下の図面の簡単な説明及びそれに続く図面の詳細な説明は、以下の開放位置及び閉鎖位置という用語を繰り返し参照する。開放位置は、アプリケータノズル１１ａから離れて旋回したように見えるフック２ａを指す（図１Ａ参照）。閉鎖位置は、アプリケータノズル１１ａ（図１Ｂを参照）と接触するように旋回したように見えるフック２ａを指す。
【図１Ａ】好ましい実施形態の単一のフックアプリケータ１ａの正面斜視図である。この図は、フック２ａが開位置にあるときに現れるフックアプリケータを示している。
【図１Ｂ】好ましい実施形態の単一フックアプリケータの正面斜視図である。この図は、フック２ａが閉じた状態で現れるときのフックアプリケータを示している。
【図１Ｃ】アプリケータノズル１１ａと足部４ａの正面図である。この図は、足４ａのはさみエッジ４ｆの好ましい位置を示している。
【図１Ｄ】フックアプリケータ１ａの正面図であり、足４ａのはさみエッジ４ｆの再配置を示している。
【図２Ａ−Ｃ】好ましい実施形態の単一のフックアプリケータの底面図であり、それぞれは、フックポイントがフックの前部、後部および中央にそれぞれ位置決めされた閉位置のフックポイントを描写する。
【図３Ａ】開位置にあるフック２ａ、ノズル１１ａおよび足部４ａを示す好ましい実施形態の拡大正面斜視図であり、それぞれの形状の詳細な描写を提供する。
【図３Ｂ】閉じた位置にあるフック２ａ、ノズル１１ａおよび足４ａを描写した好ましい実施形態の拡大正面斜視図であり、そこに毛髪の部分が巻き込みされている。
【図３Ｃ】閉位置にあるフック２ａ、ノズル１１ａおよび足部４ａを示す好ましい実施形態の拡大正面斜視図であり、それぞれの形状の詳細な断面図を提供する。
【図３Ｄ】好ましい実施形態の拡大正面斜視図であり、フック２ａ、ノズル１１ａおよび足部４ａが閉位置にあり、足部４ａの代替実施形態を示している。
【図４Ａ−Ｄ】フックアプリケータを一緒にした好ましい実施形態の拡大した底面図であり、毛髪部分の巻き込みの機械的プロセスの連続描写を提供する。
【図５Ａ】開位置にあるフック２ａ、ノズル１１ａおよび足部４ａの別の実施形態の拡大正面斜視図であり、ヘアーチャンネル２ｂおよびカラーチャンネル２ｃの別の配置を示している。
【図５Ｂ】閉位置にあるフック２ａ、ノズル１１ａおよび足部４ａの代替実施形態の拡大正面斜視図である。この図は、図５（ａ）に示すヘアーチャンネル２ｂとカラーチャンネル２ｃとを交互に配置し、ヘア部分を巻き込ませる様子を示している。
【図６Ａ−Ｂ】それぞれ開位置および閉位置にあるフック２ａ、ノズル１１ａおよび足部４ａの代替実施形態の拡大正面斜視図である。これらの図は、ヘアーチャンネル２ｂおよびカラーチャンネル２ｃのさらに別の代替構成を示す。
【図７Ａ−Ｂ】それぞれ開位置及び閉位置にあるフック２ａ、ノズル１１ａ及び足部４ａの代替実施形態の拡大正面図である。これらの図は、フック２ａおよびノズル１１ａの代替の配置を示し、フック歯３ｂおよびノズルシール１１ｂを特徴とする。
【図８】好ましい実施形態の完全な機械的構成の正面斜視図である。より明確な描写を提供するために、この図は、完全なビューの周りに配置された３つの構成要素の分離された複製ビューを含む。
【図９Ａ−Ｄ】好ましい実施形態の正面図であり、それぞれ、前記実施形態と毛髪１ｃの分離との機能的相互作用のシーケンスを示している。同時に、これらの図は、機械的係合の単一サイクルの４つの描かれた段階のそれぞれにおける個々の機構の位置および関係を描写する。
【図１０Ａ−Ｄ】好ましい実施形態の完全なアセンブリの側面図であり、前記実施形態とヘア１ｃの分離との一連の機能的相互作用を示す。同時に、これらの図は、４つの描かれた段階のそれぞれの個々の機構位置と関係を例示する。これらの描かれた段階は、ヘア部分の巻き込みおよびヘアカラーの分配を含む機械的係合の単一のサイクルを示すために組み合わされる。スケールおよび使用中に前記実施形態をどのように保持することができるかを実証するために、機能的に前記実施形態を保持する手が描かれている。
【図１１Ａ−Ｂ】図８に示された好ましい実施形態において特徴付けられたカラー容器およびマニホールドホースシステムの代替実施形態の斜視側面図である。
【図１２Ａ】装置の正面に配置された付加的な機械的機能を含む、図８に示される好ましい実施形態の完全なアセンブリの正面斜視図である。図示された１つの追加の機構は、オペレータがマニホールドに沿って１つ以上のホースへの液体色の流れを遮断し、他のものへの流れを可能にする。前記機能の第２は、スライドアクチュエータの歯／歯（複数）９３がスライド歯のシート９４内で入れ子式にスライドすることを可能にする。
【図１２Ｂ−Ｃ】図１２Ａに示される追加の機械的機能の側面図である。これらの図は、機構がそれぞれ非係合位置および係合位置に現れるときの前記追加の機械的機能のそれぞれに含まれる個々の機構の相対位置を示す。
【図１３】図８に示した好ましい実施形態のヘッド１４ａの代替的な機械的アセンブリを示す。この組立体は、各フック２ａの回動動作が各隣接フックアプリケータ１ａのアプリケータノズル１１ａによって中断されるのを避けるために、上記実施形態のヘッド１４ａに沿った各フックアプリケータ１ａの傾斜位置を利用する。
【図１４Ａ−Ｂ】図１Ａ〜１Ｂに示されるフックアプリケータ１ａの代替の機械的配置を示す。このフックアプリケータ７０の実施形態は、フック２ａを旋回させる機械的手段として、フックスライド６１とフックレバー６５の配置を利用する。
【図１５Ａ−Ｂ】図８に示す好ましい実施形態に代わるアセンブリを提供しながら、装置の完全な実施形態を示す。この代替の実施形態は、図８の実施形態と同一の機能的作用を有するが、図１４Ａ〜図１４Ｂで説明したレバーアクションフックアプリケータ７０の列からなる装置ヘッド１４ａを一体化した代替的な機械的手段を利用する。
【図１６Ａ−Ｂ】図１５Ａ〜図１５Ｂに示されるレバー作用フックアプリケータ実施形態の正面図を示す。本図は、フックを旋回させるように順番に機能するとき、装置の正面に位置する個々の機構の動作の図を提供する。
【図１７】図１５Ａ〜図１５Ｂに示す装置の上面図である。この図は、図１４，１５および１６で説明した機械的機能のより完全な説明を提供する。
【図１８】図１Ａ〜１Ｂに記載されたフックアプリケータの別の機械的配置を示す。このフックアプリケータの図は、ヘアカラーのチョーク、マスカラ等のスティック又はスティック（複数）を毛髪の巻き込み部分に分配することができる装置の実施形態をレンダリングするのに必要な機械的手段を説明している。
【図１９Ａ−Ｅ】オペレータに最終的なヘアカラーの変化の外観のための様々なオプションを与えるために組み立てられ得る多くの可能なヘッド構成のうちの５つを示している。これらの図は、様々なフック／フックアプリケータサイズを、フック／フックアプリケータ間の距離を変えて組み合わせることにより、オペレータは、ヘアカラーの多様なサービスの受け手に、トリートメントされる部分のサイズと処理された部分間の距離（処理された部分間の距離を変化させることによって）、に関する選択肢を提供する機会を与える。各々が異なるフックアプリケータの向きの固定されたヘッドを有する複数のヘアカラー多彩化装置を有する選択肢に加えて、オペレータには、前記装置本体の１つをいくつかの異なる着脱可能なヘッドと共に有する機会を与えることもできる。
【図２０Ａ−２２Ｆ】様々な洗練された機械的アセンブリを示し、それによって、そのような特徴を有する実施形態の機会の範囲を提供する。  図２０Ａ〜図２０Ｂは、ラックマウントからのローラ継手とラックスライドからのラックギアとの係合を解除することによって取り外す前記装置のヘッドおよびマニホールドを示す。図２０Ａは、取り付け位置におけるこの構成の側面図を示し、図２０Ｂは、取り外し位置の側面図を示す。  図２１Ａ〜図２１Ｃは、前記装置の頂部ヒンジ部から取り外すヘッド、マニホールド、ヘッドマウント及びラックスライドアセンブリを示す。取り外し可能なヘッドに加えて、この図はボトムヒンジ部から取り外し可能なアクチュエータの歯を示している。図２１Ａは、取り付け位置におけるこの構成の側面図を示し、図２１Ｂは、前記装置取り外し位置の側面図を示す。図２１Ｃは、取り外し可能な機械的手段の側面図を示す。  図２２Ａ〜図２２Ｅは、ヘッドマウント、ラックスライド及びアクチュエータ歯アセンブリを、ヘッド及びマニホールドが取り外し可能なままで取り外し可能ではなく調整可能にする機械アセンブリを含む、前記装置の上面図を示す。図２２Ｆは、調節可能なアクチュエータの歯アセンブリを示す前記装置の底面図を示す。
【図２３Ａ−２４Ｄ】コンパクトで単一の掛け式のアプリケータ、ペンまたはマーカのような器具の形態のヘアカラー多彩化装置の好ましい実施形態を示す。図２３Ａは、前記装置の完全なアセンブリの斜視側面図を示す。図２３Ｂおよび図２３Ｃは、フックの開いた状態から閉じた状態への旋回にそれぞれ関与する機械的アセンブリを説明するために示された正面から見た正面斜視図である。図２４Ａ〜図２４Ｄは、液体ヘアカラー塗布手段を含む装置の完全な組立体の平面図を示す。前記上面図は、フックを旋回させ、色を分配する一連の機械的動作をそれぞれ示している。
【図２５Ａ−Ｂ】開位置および閉位置の両方にフックを有するフックアプリケータの好ましい実施形態の完全な機械的配置の正面斜視図である。
【図２６Ａ−Ｄ】フックアプリケータの好ましい実施形態の一連の底面図である。この一連の図は、髪の巻き込み過程における４つの具体的な点を示している。
【図２７Ａ−Ｂ】開位置および閉位置の両方におけるフックアプリケータの好ましい実施形態の正面図である。
【図２８Ａ−Ｃ】ヘアカラー多彩化装置のくし型変形例の好ましい実施形態の全体側面図である。これらの図は、装置のハンドルの締め付けによって容易にされる機械的アセンブリの動きの進行を示している。
【図２９Ａ−Ｂ】装置の好ましいくし形の実施形態の前面の斜視図である。これらの図は、装置の下部前面から見て、歯の間に毛を有するこの実施形態を描いている。これらは、開位置と閉位置のフックを備えた装置の図である。
【図３０】好ましい実施形態の櫛部の断面の正面図である。
【図３１】装置のくし形変形の好ましい実施形態の前面の斜視図である。
【図３２】装置のくし形変形の好ましい実施形態の背面の斜視図である。
【図３３Ａ−Ｂ】フックが開閉の両位置にある状態のフックアプリケータの好ましい実施形態を完全な機械的配置の正面左斜視図である。
【図３４Ａ−Ｂ】ゴムが面していない開位置および閉位置の両方におけるフックおよびアプリケータノズルの好ましい実施形態の正面左斜視図である。
【図３５】飽和チャンバーの一部としての色拡散要素の一実施形態を示す。
【図３６】飽和チャンバーの一部としての色拡散要素の別の実施形態を示す。
【図３７】飽和チャンバーの一部としての色拡散要素のさらに別の実施形態を示す。
【図３８Ａ−Ｄ】毛髪の分離と機能的に接触しているフックアプリケータの好ましい実施形態の直列正面図である。これらの図は、開いた位置から閉じた位置を閉じるための毛の巻き込み位置の進行におけるフックを示す。
【図３９Ａ−Ｄ】装置の正面斜視図における全体的な機構の好ましい実施形態を示す。これらは、装置の機械的動作全体を、非係合位置から完全係合位置へ徐々に移動させることを示す一連の図である。
【図４０Ａ−Ｂ】髪の巻き込み部分のサイズを調節するための機構を示す実施形態を示す。
【図４１】カバーを含む右斜視図における装置の全体的な好ましい実施形態を示す。
【図４２Ａ−Ｂ】カバーを含む右斜視図の装置の全体の好ましい実施の形態であり、開いた状態と閉じた状態の両方のヘッドフードを示す。
【図面の詳細な説明】
【００２９】
本発明は、人の髪を選択的に巻き込み色付けするために使用される絞り操作の手持ち式の装置である。本発明は、専門的なヘアカラー彩者および髪を選択的に着色する制御された方法を望む個人の別個で明確な技術的ニーズに取り組む。本発明の中心的な機械的態様は、毛髪の頭皮に沿って旋回し、カラーアプリケータノズルに対して毛髪の部分を巻き込むフックからなる。この場合、フックとアプリケータノズルの説明と、巻き込みされる毛髪の部分に対するその様々な機械的相互作用とを用いて詳細な説明を開始するのが適切である。
【００３０】
フック及びアプリケータノズルに関しては、開放位置および閉位置が何度も参照される。冗長性を最小限に抑えるために（図１Ａおよび図１Ｂ参照）、用語「開位置」は、常に、アプリケータノズル１１ａから離れた最も離れた位置に旋回されたフック２ａを指す。「閉鎖位置」という用語は、常に毛１ｂの部分を巻き込みさせたアプリケータノズル１１ａと接触するように旋回したフック２ａの中空部を指す。
【００３１】
図１Ａおよび図１Ｂは、開位置および閉位置それぞれのフックアプリケータ１ａを示す。各図のフック２ａは車軸９に固定され、車軸９はギアボックス６内で旋回する。
【００３２】
フック２ａは、一方の直線縁の横方向に旋回し、かつ、フック点３ａを形成する反対側の縁部の長手方向の先細にした、長手方向の半分の長さのチューブ短い長さのチューブからなる。
【００３３】
図２Ａ、図２Ｂおよび図２Ｃの各々は、閉位置にあるフックアプリケータ１ａの底面図を示す。しかしながら、図２Ａはフック２ａの前方のフック点３ａを示し、図２Ｂはフック２ａの後ろのフック点３ａを示し、図２Ｃはフック２ａの中央のフック点３ａを示す。フック点３ａの位置は、フック２ａが毛髪１ｂの部分を巻き込む方法の違いを提示し、両方の種類のフック２ａが部分１ｃに対して同じ位置から毛１ｃの分割に沿って旋回した状態で、前部３ａを指しているフック２ａは、後部３ａを指しているフック２ａよりも巻き込む毛髪が少ない。
【００３４】
図３Ａは、開位置にあるフックアプリケータを示す図である。より具体的には、それは、フック２ａの中空２ｄ（太い黒色の線で示されている）を概略的に示しており、ノズル１１ａが、粘弾性発泡体１１ｂ（または任意の他の適用可能な可撓性材料）の層によって部分的に覆われているとして示す。図３Ｂは、フック２ａの中空２ｄとアプリケータノズル１１ａのシリンダとが、閉鎖位置にある間に正確にはめ込まれていることを示している。図３Ｃは閉鎖位置の断面図であり、フック２ａの中空部が三方の開口部５を取り囲む粘弾性フォーム１１ｂの層内に押し込まれるとき、この正確な嵌合がどのようにシールになるかを示している。ノズルシール１１ｂは、閉位置にあるとき、フック２ａの後及び側部の周りの液体ヘアカラーの漏れを防止する。
【００３５】
図１Ａおよび図１Ｂを参照して、アプリケータノズル１１ａの前面に固定された１つの足４ａと、アプリケータノズル１１ａの後部に固定された１つの足４ｇとが、フック２ａをその間に配置していることに注目されたい。旋回フック２ａと頭皮１ｃとの快適な接触は、フック２ａが前足４ａと後足４ｇとの間の精密な旋回経路を移動するように制限され、フックポイント３ａが概して前足の接触点４ｂと後足の接触点４ｈとの間に位置する。従って、この機械的構成は、フックポイント３ａが頭皮に強く接触することを防止しながら、フック２ａが毛髪１ｂの部分を巻き込むことを可能にする手段として、前足接触点４ｂおよび後足接触点４ｈを利用する。したがって、この機械的配置は、前足４ｂと後足接触点４ｈが、フック２ａが、フック点３ａが頭皮と強制的に接触するのを避ける一方で、髪１ｂの部分を巻き込むのを許容する手段として、利用する。
【００３６】
図４Ａ〜４Ｄの底面図は、フック２ａ、前足４ａと後足４ｇとの間の別の機械的関係、すなわち、フック２ａ、前足４ａおよび後足４ｇが、毛１ｂの巻き込み部分を頭皮の周りの毛髪を分離するように機能するのか、とともに、フック２ａの中空の中の髪１ｂの巻き込み部分を中心に向け、色被覆工程を通して毛髪１ｂの部分の中心位置を維持するのかを示す。
この髪の毛１ｂの巻き込み部分の分離およびセンタリングは、フック２ａの前側接触面２ｅと後側接触面２ｆが前足部４ａの前側フック接触面４ｅと後足４ｇの後側フック接触面４ｊとに摺接するはさみの動作ごとに生じ、一方で、開位置から閉位置に移動する。
【００３７】
図４Ａは、開位置にあるフック２ａおよびアプリケータノズル１１ａを示す。図４Ｂは、フック２ａと同じフックアプリケータ１ａが毛４ｂの部分を巻き込むのに十分な閉位置に向かって旋回したときを示す。図４Ｃは、フック２ａが閉じた位置に全く到達しておらず、毛１ｂの引き込まれた部分がフック２ａによって引っ張られている点まで、前足のはさみの縁４ｆおよび後のはさみの縁４ｋに遭遇した巻き込み部分１ｂのためのアプリケータノズル１１ａに十分に接近した、フック２ａが髪の毛１ｂの巻き込み部分と共に旋回したときのフックアプリケータ１ａを例示する。図４Ｄは、フック２ａのカラーチャンネル２ｂおよびヘアーチャンネル２ｃの中心に位置するとともに、アプリケータノズル１１ａの開口５を中心とする毛１ｂの断面を有する閉鎖位置のフックアプリケータ１ａを示す。また、髪の巻き込まれた部分は、前足部チャンネル４ｃおよび後足部チャンネル４ｉを占有している。
【００３８】
図１Ｃは、前足４ａおよび前足４ａの前はさみエッジ４ｆの好ましい位置に対する点の正面図を示す。上述したように、前足４ａのこのはさみエッジ４ｆは、髪の巻き込み部分を機能的に閉鎖位置に押す。図１Ｄは、図１Ｃに示された好ましい位置よりも前足４ａの中央に近いこの前側のはさみエッジ４ｆを示す。開口５、カラーチャンネル２ｂおよびヘアーチャンネル２ｃを再配置すると共に、この前はさみエッジ４ｆを前足４ａの中心に対して再配置して、前記特徴が閉じた状態で前はさみエッジ４ｆの上部と機能的に交差するようにし、個々のフックアプリケータ１ａによって巻き込みされる毛の量を変化させると共に、毛髪の巻き込み部分上への色の最初の塗布の頭皮への近さを変化させる。さらに、フック２ａの回転が前方はさみエッジ４ｆの底に対して特定角度のアップスイングの程度でない場合、前方はさみエッジ４ｆがフック２ａと前足４ａとの間に髪の毛が詰まるようにするというより、毛の巻き込み部分の一部が前足４ａのコーナーの底部にもたらされる。これは、絡み合った髪の毛の部分にひっかかる原因となる。この前はさみエッジ４ｆは、前足４ａの中心に対して様々な位置を占めてもよく、ギアボックス６の底面に対して現在占める垂直方向ではなく、若干角度を付けられていてもよい。これに加えて、巻き込みされる毛の量を変更するために前足部４ａの長さを調節することができる。（注：図１Ｃおよび１Ｄの前述の説明は全て、図には見えない後足にも当てはまる。単に「前」という用語を後部の用語に置き換えるだけで、これは後足の説明と同じである）
【００３９】
図３Ｄは、足ブリッジ４ｄを特徴とする足構成の別の変形例である。この足ブリッジ４ｄは、閉鎖位置のフック３ａの先端を閉鎖位置に取り囲む１本の広い足を形成する底面に沿って前足４ａと後足４ｇとを連結する。この足ブリッジ４ｄは、フック２ａの底部に沿ってさらなるハサミ作用を生成する。さらに、フックポイント３ａは、５つの側面で必ずしも閉鎖されていなくてもよいが、閉鎖位置に向かって旋回して閉鎖位置を確立するとき、フックポイント３ａにのみ開いたボックスを作成する。この足ブリッジ４ｄの変形はオプションである。
【００４０】
毛髪の巻き込み部分が液体ヘアカラーで被覆されるプロセスの以下の説明中に図３Ａ〜図３Ｃを見る。図３Ａはフック２ａとノズル１１ａとを開いた状態にしてカラーチャンネル２ｂとヘアーチャンネル２ｃがフック２ａの空洞２ｄを横切って略中央に位置する一つの連続した窪みを形成するフックアプリケータ１ａの正面斜視図である。図３Ｂは、フック２ａとノズル１１ａとを閉じた状態で示した、フックアプリケータ１ａの正面斜視図であり、カラーチャンネル２ｂとヘアーチャンネル２ｃがノズル開口５のほぼ中央に位置する。図３Ｃは、フックアプリケータ１ａの断面正面斜視図である。前記図は、閉鎖位置にある間に、アプリケータノズル１１ａと接触するフック２ａの中空部２ｄの部分が、フック２ａの前記部分の真下にあるノズルシール１１ｂを平坦にしていることを示している。しかし、カラーチャンネル２ｂは開いたままであり、ヘアーチャンネル２ｃ内のノズルシール１１ｂの領域は、上昇したままであり、ヘアーチャンネル２ｃを満たしている。これは、ノズルシール１１ｂが少なくともヘアーチャンネル２ｃが深くなるほど厚いためである。図３Ｂに見られるように、毛１ｂの断面が閉じた位置に巻き込みされると、巻き込み部分ｌｂは、ヘアーチャンネル２ｃだけでなくカラーチャンネル２ｂも占有している。さらに、前記ヘアーチャンネル２ｃは、前記部分が毛髪の巻き込み部分に抗してヘアーチャンネル内で拡張したままであるので、ノズルシール１１ｂの一部によっても占有される。ヘアーチャンネル２ｃを満たすノズルシール１１ｂの部分は、そこに巻き込みされる毛髪１ｂの部分に僅かな圧力を加える。しかしながら、この圧力は、閉鎖位置を通って巻き込み部分１ｂの動きを制限するのに十分ではない。カラーチャンネル２ｂに流入する液体の色がヘアーチャンネル２ｃを通って閉鎖位置の外部に漏れないようにするだけの圧力である。また、ヘアーチャンネル２ｃ内に配置された毛髪１ｂの部分に加えられる圧力は、巻き込み部分１ｂに所望の量の張力が維持されるようなものである。この張力により、装置は、プロセス中に巻き込み部分１ｂを快適に制御することができる。
【００４１】
図３Ｂを見る間に、毛１ｂの部分が閉鎖位置に巻き込まれ、液体ヘアカラーが開口５から出ていると考えると、液体はカラーチャンネル２ｂを満たし、これにより、カラーチャンネル２ｂを占有している巻き込み部分１ｂの部分が囲まれる。液体色がアパーチャ５を継続して出て行くにつれて、液体はノズルシール１１ｂによってフック２ａの側方から、またフック２ａの後部からヘアーチャンネル２ｃを通って広がることが防止される。この機械的配置は、毛髪１ｂの巻き込み部分を液体ヘアカラー１ｄで被覆するようにし、被覆された巻き込み部分１ｄが塗布されたまま残り、毛１ｄの塗布部分が通過し、ヘアーチャンネル２ｂが出るのを許容する。
【００４２】
図３Ａは、前足部４ａの側方に形成された前足チャンネル４ｃと、後足部４ｇの側方に形成された後足チャンネル４ｉとを示している。これらの刻み目の各々の目的は、巻き込まれた髪の毛１ｂが掴まれることなく閉鎖位置を通って摺動するためのクリアランスを可能にすることである。  図３Ｂに見られるように、前足チャンネル４ｃは、毛１ｄの毛染めされた部分から色が掻き取られることなく閉鎖位置から通過することを可能にする追加の利点を有する。
【００４３】
図５Ａおよび図５Ｂは、カラーチャンネルまたはヘアーチャンネルのないフック２ａを特徴とする別のカラーチャネリングバリエーションを示す、開位置および閉位置におけるフックアプリケータの斜視正面図である。この変形形態は、アプリケータノズル１１ａのアパーチャ５の周りに配置されるくぼみまたはノズルカラーチャンネル１１ｄを含む。このノズルカラーチャンネル１１ｄは、閉鎖位置の前部および前足チャンネル４ｃに対して開いており、フックカラーチャンネル２ｂと同じように、ヘア１ｄの色付き巻き込み部分の流れを導く役割を果たす。この変形形態はまた、ノズルカラーチャンネル１１ｄの背後のアプリケータノズル１１ａ上に配置されたノズルヘアチャンネル１１ｅを含む。ノズルヘアチャンネル１１ｅは、閉じた位置で後足チャンネル４ｉに開口し、ノズルヘアチャンネル１１ｅを通して色の逆流の危険なしに毛髪を閉鎖位置を通って移動させるためにノズルシール１１ｂによって覆われる。しかしながら、ノズルカラーチャンネル１１ｄは、液体ヘアカラーをそこから流すことを可能にするために、閉鎖位置の前面に開いている。
【００４４】
図６Ａおよび図６Ｂは、フックアプリケータ１ａの正面斜視図であり、フック２ａ上に配置されたカラーチャンネル２ｂと、ノズルの開口部５の周りに配置されたノズルカラーチャンネル１１ｄ、より深い前足チャンネル４ｃ、およびノズルヘアチャンネル１１ｅとの両方を組み合わせた別のカラーチャネリングバリエーションを示す。このバリエーションは、髪の巻き込み部分に沿って最も多くのカラーの堆積物を提供する。
【００４５】
上述したチャネリングの全ての変形を考慮すると、フックチャンネル２ｂ及びノズルチャンネル１１ｄの形状及び寸法並びに開口５のサイズ及び形状は、液体ヘアカラーの粘度及び所望の色流れの制御の程度、並びにヘア１ｂの巻き込み部分に付着したカラービーズの大きさに依存する。
【００４６】
図７Ａおよび図７Ｂは、フック２ａのカラーチャンネル２ｂから延びる細長い付属物またはフック歯３ｂを説明する。図７Ｂに見られるように、歯３ｂは、フック２ａの中空から、フック２ａの半径方向の中心に向かって、フック２ａがアプリケータノズル１１ａ上の閉位置にあるとき、歯３ｂノズル１１ａの開口部５に進入する。歯３ｂの厚さがアパーチャ５の寸法よりも小さいので、歯３ｂはアパーチャ５からの色の流れを妨げない。加圧カラー容器がアプリケータノズル１１ａを供給している場合、シリコーン（または他の可撓性化学抵抗材料）チューブガスケット１１ｃは、アプリケータノズル１１ａの内壁に対してぴったりと配置されてもよい。このガスケット１１ｃは、ノズル１１ａの開口部５を覆い、加圧されただけでなく加圧されない色の流出を防止する。
【００４７】
図７Ａおよび図７Ｂを連続して見ると、フック２ａおよび歯３ｂが開位置から閉位置に回動することが示されている。フック２ａがこれを行うと、歯３ｂがノズル開口５に位置するガスケット１１ｃの部分に押し付けられる。歯３ｂがガスケット１１ｃに押し付けられると、加圧された色が解放される。フック２ａが開位置に向かって旋回バックすると、歯３ｂは開口５を出て、円筒状ガスケット１１ｃは、開口５ａからの色の流れを再び阻止するノズル１１ａ内の開口５上の閉鎖位置に自然に戻る。このようにして、フック２ａが巻き込み部分をノズル１１ａ上の閉鎖位置にもたらすときにのみ、加圧されたカラーを毛髪の巻き込み部分に流すように制御することができる。
【００４８】
図１Ａに描かれているように、アプリケータノズル１１ａは液体ヘアカラーのための出口としての開口部５を特徴とし、ホース１２はカラー容器ホースとノズル１１ａとの間の供給ラインとして機能する。ノズルホース１２は、ノズル１１ａと直角に短い距離だけ上方に延び、次に直角に曲がり、ノズルホース継手１３ａで後端まで延びている。
【００４９】
図１Ａおよび図１Ｂは、フック２ａを旋回させるための機械的手段としてのラックおよびピニオンギア装置を含む装置の好ましい実施形態を示す。フック２ａは、軸９の遠位前方に固定され、軸９の後部は、ギアボックス６内で旋回する。ピニオンギア８は、ギアボックス６内に収容された軸９の部分に固定される。ラックギアボックス７ａ内のピニオンギア８が下方からギアボックス６内で旋回回転する。
【００５０】
図８に示すように、可撓性ヘッド１４ａは、ローラ継手１４ｄによってギアボックス６の底部に沿って互いに連結された直線状列のフックアプリケータ１ａからなる。
【００５１】
図８はまた、上部ハンドル部分２０ｂの前面に取り付けられた２つのヘッドマウント１５を示す。ヘッド１４ａの各端部は、各ヘッドマウント１５の遠位前方に固定され、ハンドル２０ａに取り付けられたヘッド１４ａを形成する。
【００５２】
また、図９Ａおよび図９Ｂは、一連のピニオンギア８がラックギア７ａに歯に噛み合わされた状態で、各ギアボックス６の内側底部に沿って延びる単一の薄い可撓性ラックギア７ａを共有するフックアプリケータ１ａの列を示す。ラックギア７ａの前後運動により、ピニオンギア８、従って、軸９とフック２ａとが一体的に旋回する。
【００５３】
図９Ａに見られるように、頭部１４ａは毛髪の分離部に軽く押し付けられ、頭部１４ａは頭皮の湾曲部に屈曲する。頭部１４ａは、直立姿勢の頭皮に対して配置され、それにより、前足接触点４ｂおよび後足接触点４ｈ（図９には見えない）のそれぞれが毛髪１ｃの分離に機能的に接触することを可能にする。
【００５４】
図９Ａは、ヘッド１４ａが撓むことを可能にするために、板ばね１４ｃに依存する装置を示す。頭部１４ａが頭皮の湾曲部に撓むと、板バネ１４ｃが膨張する。
【００５５】
図９Ａおよび図１０Ａに示すローラ継手１４ｄは、ヘッド１４ａの撓み能力を補助するための別の機械的特徴である。ヘッド１４ａの両端にはローラ継手１４ｄが固定されており、それは、各ヘッドマウント１５の端部の上に入れ子式に適合するチューブの部分である。
【００５６】
図１０Ａは、ヘッド１４ａの幅が広いほど、ヘッドマウント１５の先端から遠く離れた位置に、各ヘッドマウント１５に形成されたリップ１４ｅを示している。キャップ１４ｆが各ヘッドマウント１５の先端に配置されている。各リップ１４ｅおよびキャップ１４ｆは、ローラ継手１４ｄがヘッドマウント１５の端部に沿って前後に摺動することを防止する。ローラ継手１４ｄの内径は、ローラ継手１４ｄが自由に転がることができるように、ヘッドマウント１４，１５の円筒状の端部の外径よりも大きい。図９Ａに見られるように、ヘッド１４ａの各端部は、各ローラ継手１４ｄに固定され、ヘッド１４ａがヘアヘリングの湾曲部に撓むと、ローラに固定された２つのフックアプリケータ１ａ継手１４ｄは、ヘッドマウント１５の端部を自由に回転することができる。この回動は、ヘッド１４ａが頭皮の湾曲に抗して湾曲し、滑らかでより完全な屈曲動作を生成するときに自然に生じる。
【００５７】
ラックスライドマウント１７は、図８に示すように、トップハンドル部２０ｂの前縁に固定されたチューブの一部である。図９Ｂに見られるように、逆さまのＬ形状のロッドまたはラックスライド１６ａの一方の側部は、ラックスライドマウント１７のチューブ内を滑って摺動して位置決めされる。ラックスライドマウント１７の他方の側部は真っ直ぐに延び、短いスパンのわずかな角度で頭の側に沿って曲がる。次に、ラックスライド１６ａが前方に曲がり、最終的にテーパがついてラックギアピン１６ｂを形成する。ラックギアピン１６ｂは、ラックギアピン１６ｂとラックギアシート７ｂとの間のスナップ嵌めを形成するラックギア７ａの遠位端に位置する小孔またはラックギアシート７ｂ内に直接延びている。
【００５８】
ラックスライド動作のより完全な理解を開示するために、ハンドルの操作のより詳細を説明する必要がある。図１０Ａに見られるように、ハンドル２０ａはトップハンドル部２０ｂおよびハンドルヒンジ２１ａによって、それぞれの後部で互いに接続されたそこハンドル部２０ｃからなる。このサラダ舌タイプの形状は、ハンドルストップ２１ｃに対してハンドルヒンジバネ２１ｂによって開いた休止位置に保持される。ハンドルストップ２１ｃは、ハンドルヒンジ２１ａの底ハンドル部２０ｃの内側に位置する突起である。底ヒンジ部２０ｃは、開位置のほうへ戻るように旋回するため、底ヒンジ部２０ｃは、ハンドルストップ２１ｃがトップハンドル部２０ｂの後部底縁に接触するため、さらに開くことが妨げられる。
【００５９】
図１０Ａ〜図１０Ｄは、装置のハンドル２０ａをオペレータが絞った手の側面図であり、図１０Ａの開位置から図１０Ｄの閉じた状態までで図１０Ｂおよび１０Ｃは中間ハンドル位置を表す。ヘア１ｃの分割に対してほぼ位置決めされた図１０Ａ〜１０Ｄに示す装置において、人が見れば、下部ハンドル部２０ｃが旋回部分にある一方で、上部ハンドル部２０ｂ（取り付けられたヘッドマウント１５およびヘッド１４ａと共に）はヘア１ｃの分割に対して静止しているのが分かる。したがって、これらの図を順番に見ている間に、可視アクチュエータ歯１８（下部ハンドル部２０ｃに取り付けられている）が頭部マウント１５およびラックスライド１６ａの底部から頂部に摺動するに気付くであろう。
【００６０】
ヘッドマウントおよびラックスライドに対するアクチュエータ歯のスライド動作に関するハンドルの役割をより完全に理解したので、ここで図８を参照することができる。ラックスライドアクチュエータ歯１８は、底部ハンドル部分２０ｃの前縁から前方に延びる２本のロッドからなる。歯１８は、ヘッドマウント１５の底部の間に配置される。歯の端１８間の距離は、左側の歯１８が左側のヘッドマウント１５と接触し、右側の歯１８が、右側のヘッドマウント１５およびラックスライド１６ａに接触する程度である。（この段落の残りの部分については、図９Ａおよび９Ｂを参照されたい）。アクチュエータ歯１８がこの位置にあるとき、ハンドル２０ａを握ると、左側の歯１８が左のヘッドマウント１５の内側に向かって上方に摺動し、右側の歯１８は同時にラックスライド１６ａの内側だけでなく右側のヘッドマウントに対しても上方にスライドする。ラックスライド１６ａの底部が外向きに傾斜している（太線１６ｃ参照）ので、ラックスライド１６ｃの斜めの部分に対する右の歯１８の上方への摺動運動は、ラックスライド１６ａをラックスライドマウント１７およびヘッドマウント１５（図１０Ｂ参照）によって安定化された外側へ移動する。ラックスライド１６ａの下端がラックギアピン１６ｂによってラックギア７ａに取り付けられるので、ラックスライド１６ａの外側への摺動によりラックギア７ａが側方に移動する。このようにして左に摺動するラックギア７ａは、フック２ａをアプリケータノズル１１ａ上の閉位置に向かって回動させる。このようにして、右側アクチュエータ歯１８がラックスライド角度１６ｃの底部に接触すると、フック２ａは開位置にある（図９Ａ参照）。右の歯１８がラックスライド角度１６ｃの頂部に来るまでハンドルを握ると、フック２ａが閉位置に移動する（図９ｂ参照）。ハンドルを解放すると、ラックスライド１６ａは、ラックスライドスプリング１９の張力に抗して、最も内側にある休止位置に戻る。ハンドル２０ａの継続的な絞りによって引き起こされる動作は、アクチュエータ歯１８をラックスライド角１６ｃの頂部を通過させるが、これについては後述する。
【００６１】
ラックスライド１６ａに対して右側の単一の歯１８のみを使用する底部ハンドル部分２０ｃ（図８参照）は、代わりの実施形態として採用されてもよい。
【００６２】
要約に記載されているように、本発明は、毛髪を巻き込み、毛髪の巻き込み部分に液体ヘアカラーを分配することが連続的にできる単一の絞り機構を特徴とする。上述したように、フックの係合は、ハンドルに加えられた絞り動作の最初の増加の間に生じる。第２段階の絞り作用は、レバー２４ａを旋回させて、レベルパレット２２を押し上げる（レベルパレット２２とレバー２４ａの詳細斜視図についいては図８を参照）。レベルパレット２２とレバー２４ａの両方が下部ハンドル部２０ｃの上部にヒンジ止めされるので、下部ハンドル部２０ｃの上部ハンドル２０ｂ部分への上方移動は、レベルパレット２２とレバー２４ａの機械的作用が組み合わされて、カラー容器５１ａから液体ヘアカラーの動き、および、毛髪の巻き込み部分にカラーを導くチャンネルを通るのを容易にする。
【００６３】
以下は、第２の一連の機械的作用（ヘアカラーの分配）および装置が使用されているときにこの作用が第１の作用（毛髪の絡み合い）とどのように調和するかについての詳細な説明である。機械的作用について、図１０Ａ〜図１０Ｂを参照しながら説明する。（注：図１０Ａ〜図１０Ｂは、図８に示した装置の好ましい実施形態の側面図を示す）。
【００６４】
図１０Ａに見られるように、オペレータは、装置が静止位置にあるとき、ハンドル２０ａによって装置を機能的に保持し、毛髪１ｃの分離に適切に装置のヘッド１４ａを置く。
【００６５】
図１０Ｂに示すように、オペレータは、ハンドル２０ａを絞り、底部ハンドル部２０ｃを上ハンドル部２０ｂに向けて持ち上げる。その結果、ラックスライド１６ａに当接する歯１８はラックスライド角度１６ｃの最上点まで上方に移動する（ラックスライド１６ａ上のこの点は太い四角形として現れる）。これにより、フック２ａはアプリケータノズル１１ａ上の閉じた位置にあり、その間に毛１ｂの巻き込まれた茎が存在する。下ハンドル部２０ｃが上ハンドル部２０ｂに向けて持ち上げられることにより、レバー２４ａのボタン接点２４ｃがレバーボタン２４ｄに接触する。この接触により、レバー２４ａがレバーヒンジ２４ｅを中心に回動し、レバー２４ａの水平パレット接触点２４ｂが水平パレット２２の底面に押し付けられる。これにより、順に、水平パレット２２は、カラー容器５１ａの底部に向けて持ち上げられる。
【００６６】
図１０Ｃは、アクチュエータ歯１８がヘッドマウント１５に平行なラックスライド１６ａの部分に沿って摺動し始める点まで締め付けられたハンドル２０ａを示す。これにより、レベルパレット２２がカラー容器５１ａの底面に当接して押し上げられる一方で、フック２ａが閉位置に留まることができる。カラー容器５１ａ上のレベルパレット２２の圧力により、液体カラーがカラー容器５１ａからカラー容器ネック５２ｂを通ってマニホールド入口５３ｃに移動し始める。マニホールド５３ａを通って続いて、液体カラーはマニホールドホース５３ｂを通ってノズルホース１２とノズル１１ａに流れ、カラーアパーチャ５を通って毛髪１ｂの巻き込み部分に流れる。
【００６７】
オペレータは、色１ｂの小さなビードが各フックの前部で同時に形成されるのを見ながら、ハンドル２０ａに軽い絞り圧を印加し続ける（図９Ｃ参照）。彼女がこれらのカラービーズの形成を見ると、ヘアカラーが各ノズル１１ａの開口５を出て閉じた位置にある各同伴部分１ｂの部分を包囲していることがわかる。彼女が色１ｅのビーズの形成を見たとき、彼女はゆっくりと毛１ｃの分離から装置を引き離しながら同じ圧力を維持する。図９Ｄに描かれているように、彼女は装置を分離部１ｃから引き離し、ハンドルの一定の軽い圧力は、巻き込み部１ｄが閉鎖位置を通過する際に、ヘアカラー１ｄで巻き込み部１ｂを均一に取り囲む。
【００６８】
オペレータが髪の毛の巻き込み部分を十分に被覆すると、彼女は一般に２つの方法のうちの１つを進める。彼女は、ハンドルの圧力を開放することができ、図１０Ａに示す休止位置に装置を戻ることができる。このアプローチは、コーティングされた部分を毛髪に戻すことを可能にする。他の選択肢は、ハンドル２０ａを、ヘアカラーが分配を停止する地点までのみ解放し、巻き込み部分を閉鎖位置に維持することである。これは、ハンドル２０ａが、レベルパレット２２がカラー容器５１ａの底部から解放されるが、アクチュエータ歯１８がラックスライド角度１６ｃの頂部を越えて滑り落ちるのに十分でないほど十分に解放されるときに起こる。
【００６９】
この機械的位置が図１０Ｂに示されている（ラックスライド角の上部は、ラックスライド上に位置する黒い四角形として示されている）。（バリア材の適用に関する以下の説明には、対応図は含まれていない）。この時点で、巻き込み部分および被覆部分は、受領者の頭部と装置の頭部との間に延在する緊張した静止位置にある。オペレータは、この位置で巻き込み部分を維持し、自由な手を有して、バリアシートの折り畳まれた部分を拾い上げ、それを巻き込み部分に置く、または、頭皮に近い部分の下の綿の部分に多分置くことができる。当業者に知られている任意の数のバリア材料の種類および技術をこの時点で適用して、バリア処理部分を毛髪の残りの部分に制御して放出することができる。最後に、オペレータは、頭皮に沿って仕切りステム２７の先端を辿り、サービスされるべき毛髪の次の分割を露出させ、それにより、受容者の毛髪に沿って装置の新たな通過を開始することができる（図１０Ａの仕切りステム２７参照）。上述したパス全体のような受益者の髪の毛を通る装置の通過は、オペレータによって適切であるとみなされる回数、または、レベルパレット２２のカラー容器５１ａへの上向きの動きが、平坦で平行になり、かつ、カラー容器ハウジング２６の頂部に直接隣接することによって遮断されるまで繰り返され、それによりカラー容器５１ａを平坦にして空にする（Ｆ１Ｇ．１０Ｄ参照）。次に、カラー容器５１ａを補充したり交換したりすることができる。
【００７０】
以下は、２種類の使い捨てカラー容器の説明である。これらのカラー容器は予め充填され（好ましくは製造業者によって）、装置に装填され、空のときに廃棄される。
【００７１】
２つの部分の酸化力のある色または明るさを分配する予めパッケージ化されたカラー容器は、使用直前まで２つの反応性成分を容器の内部に分離しておく手段を含まなければならない。
【００７２】
図１１Ａは、外部容器５２ｅ内の内部容器５１ｆを示し、各容器は２つのヘアカラー成分のうちの１つを収容する。内部容器５１ｆは、それがしっかりするように容積一杯に充填されている。外部容器５２ｅは充填されているがしっかりしていない。内側コンテナ５１ｆは、２つのコンテナ間の堅さの違いに加えて、外部コンテナ５２ｅよりも構造的に弱い前シームおよび／または弱いプラスチックフィルムで意図的に製造される。弱いフィルムに加えて堅さの違いは、オペレータがこの二重容器を適度に絞って内部容器５１ｆを破裂させることを可能にする。この破裂は、内部の色成分を、外部容器５２ｅ内に含まれる他の色成分に解放する。オペレータは二重容器を短時間ニーディングし、それによって２つの色成分を完全に混合する。また、外容器５２ｅの後底シーム５１ｉと内容器５１ｆの後シーム５１ｉとは、内容器５１ｆが外容器５２ｅ内を自由に浮遊しないように密閉されている外部カラー容器５２ｅのマニホールドポート５１ｂを内側から遮断する。この二重容器５２ｅ、５１ｆは、一旦それが空になると廃棄され、予め充填された二重容器５２ｅ、５１ｆと置き換えられてもよい。便宜上、マニホールドポート５１ｂは、前面に接着された穿刺シール５１ｇを備えていてもよい。穿刺シール５１ｇに付随するために、穿刺スパイク５３ｈがマニホールド吸気５３ｃに取り付けられる。この穿刺機能により、オペレータは混乱を招くことなく構成要素を混合することができ、マニホールドポート５１ｂをマニホールド吸気口５３ｃに係合する点でのみ開く。
【００７３】
図１１Ｂは、別の好ましい２色のカラー容器の実施形態５２ａを示す。その目的は、２つの成分がカラー容器５２ａを出るまで、液体ヘアカラーの２つの成分を分離しておくことである。液体ヘアカラーの２つの成分は、等しいテクスチャおよび粘度を有し、バリア５２ｂによって２色のカラー容器５２ａ内で分離して保持される。障壁５２ｂは、本質的に、互いに対して平らに配置された等しい容積の２つの別個のカラー容器を形成する。分割カラー容器５２ａの各辺は、二重マニホールドポート５２ｃの両側に開口している。
【００７４】
この二色容器５２ａに圧力が加えられると、両方のヘアカラーコンポーネントは、二重マニホールドポート５２ｃの各側面に入る。次いで、２つの成分は、マニホールド吸気口５３ｃに入り、らせん状のスタティックミキサー５２ｄの部分を通過し、混合を開始する。部分的に混合された色は、マニホールド５３ａの内管５３ｇに入る。色は、スタティックミキサー５２ｄの部分も含むので、内部マニホールドチューブ５３ｇを通過する際にさらに混合される。完全に混合された色は、ここで、内側マニホールドチューブ５３ｇの両端から出て、主外側マニホールドチューブ５３ｆ、次にノズルホース５３ｂに入り、最後にノズル開口５を出る。オペレータは先に説明したようにカラーサービスを行う。
【００７５】
以下では、装置をカラーで再充填し、装置のさまざまなカラーチャンネルをクリーニングするプロセスについて説明する。
【００７６】
補充ポート５１ｄ（図８に示す）を特徴とするカラー容器は、分解する必要がなく、中空の分配ステムを備えたシリンジまたはベースタイプの混合容器を用いて再充填することができる。オペレータは、混合容器のリザーバ内のヘアカラーの２つの成分を混合し、リザーバの上に蓋を固定し、混色を最充填ポート５１ｄを介してカラー容器５１ａに注入する。再充填のこの段階を完了した後、オペレータはリッド５１ｅを最充填ポート５１ｄに固定する。
【００７７】
空の状態では、事前にパッケージ化されたカラー容器を装置から取り出す必要があり、一杯になったカラー容器に交換する必要がある。以下の例では、単一チャンバーカラー容器５１ａ（図８参照）を用いて説明するが、二色容器５２ａも説明のために使用することができる。これを行うために、オペレータは、固定タブ５１ｈを固定ピン２６ｃから外すことによって（Ｆ１Ｇ．８および図１０Ａ参照）、カラー容器ハウジング２６ａの背面からカラー容器５１ａの背面を解放する。その後、彼女は、マニホールド取付ブラケット５３ｅをラックスライドマウント１７から外し、カラー容器５１ａのマニホールドポート５１ｂからマニホールド取入口５３ｃを外し（図８参照）、マニホールド５３ａを前方に屈曲させてマニホールド取入口５３ｃを外すカラー容器５１ａのマニホールド口５１ｂから排出される。次に、彼女は、カラー容器５１ａのマニホールドポート５１ｂをマニホールドポートブラケット２６ｂから外す（図９Ａおよび図１０Ａ参照）。そして、彼女は、空のカラー容器５１ａをカラー容器ハウジング２６ａから引き出すことができる。マニホールド５３ａが依然としてマニホールドホース５３ｂの可撓性により前方に曲げられ、それによって正面開口部をカラー容器ハウジング２６ａに露出させた後、カラー容器の全長５１ａが、カラー容器ハウジング２６ａの全長を占めるまで、彼女は完全な密封カラー容器５１ａをスライドする。次に、彼女は、このポート２６ｂおよびカラー容器５１ａをカラー容器ハウジング２６ａの上に固定するために、カラー容器５１ａのマニホールドポート５１ｂをマニホールドブラケット２６ｂ上に押し込む。
【００７８】
次に彼女は固定タブ５１ｈをタブピン２６ｃの上に押し、それによって、カラー容器５１ａの後部をカラー容器ハウジング２６ａの後部に固定する。最後に、彼女は、マニホールドインテイク５３ｃをマニホールドポート５１ｂに強制し、マニホールド取付ブラケット５３ｅをラックスライダ取付の上に留める。
【００７９】
カラー容器５１ａを最充填し、または空の単色のカラー容器５１ａまたは２色のカラー容器５２ａをフルなものと交換して、オペレータは、ハンドル２０ａを全てのノズル１１ａの開口５から出るまで握ることによって装置を準備する（図１０Ａ〜図１０Ｂおよび図９Ｃを参照）。新しいカラー容器５１ａの第１の絞りは、ある色が他の色よりも先にいくつかの開口５を出るようにする。したがって、オペレータは、色が全てのノズル１１ａから出るまで、ノズル１１ａのうちのいくつかから毛髪が垂れ落ちる可能性があるので、清掃可能な表面、ペーパータオル、シンクなどを介してこの操作を行う。オペレータは、単に紙または布タオルでノズル１１ａから余分な色を拭き取り、カラーサービスに進む。
【００８０】
この開示において図面の全体的な数を最小限にするために、洗浄手順の以下の説明は支持する図を有さない。近似については図８を参照のこと。
【００８１】
オペレータが再充填可能なカラー容器５１ａ及びマニホールド５３ａを清掃するためには、上述したように彼女はカラー容器５１ａを外し、補給口５１ｄをキャップ５１ｅし、マニホールド口５１ｂを介して水や洗浄液をカラー容器５１ａに注入し、マニホールドポート５１ｂの上に指を置く。次に、彼女はカラー容器５１ａを振とう混練し、液体を補給口５１ｄおよび／またはマニホールド口５１ｂから注ぎ出す。彼女は容器５１ａがきれいになるまでこのステップを繰り返す。マニホールド５３ａおよびノズル１１ａをクリーニングするために、彼女は先に説明した再充填手順に従って、カラー容器５１ａを単に装置に係合させた後、最充填ポート５１ｄを介して容器５１ａを充填し、
キャップ５１ｅをポート５１ｄに乗せ、ハンドル２０ａを絞り締める。水がノズル１１ａの開口部５から噴出し、それによってノズル１１ａおよびノズルホース１２ならびにマニホールド５３ａのすべてのホースおよびチャンネルが洗浄される。彼女はまた、クリーニング手順中に細長い洗浄器具を様々なホース、ポートおよびノズルに挿入することができる。
【００８２】
オペレータは、通常の使用のために使い捨てカラー容器５１ａに頼っているかもしれないが、オペレータは、今説明したクリーニング方法を利用するために、水または洗浄液で満たすために使用できる補充可能な容器５１ａを有することが望ましい。
【００８３】
他のタイプのカラー容器、例えばカークガンタイプまたはシリンジタイプの装置を装置に使用することができる。また、様々な種類の容器は、手動で圧縮するか、電気モーターを使用して圧縮するか、または圧力をかけている色の容器によって色を分配することができる。
【００８４】
カラー容器５１ａ、５２ａ（Ｆ１ＧＳ．８，１１Ａおよび１１Ｂ参照）は、好ましくは、ポリエチレン、ポリプロピレン、または他のタイプの耐液性および耐化学剤性の可撓性で容易にシール可能なフィルムから形成される。マニホールド５３ｆの主管（それに成形されたホース継手５３ｄと共に）は、種々の液体耐薬品性プラスチック材料の１つから成形されるのが好ましいが、ホース５３ｂは、いくつかのタイプの液体耐薬品性ゴムまたはシリコーンチューブの１つから作られてもよい。ホース５３ｂは、マニホールド継手５３ｄに接着またはクランプされてもよい。または、すべての継手５３ｄに返しを付け、ホース５３ｂを継手５３ｄから取り外すことができ、使用中にしっかりと取り付けるようにしてもよい。スタティックチューブミキサー５２ｄの部分はまた、好ましくは化学的に耐性のあるプラスチック製のものであり、別個の部品であってもよいし、マニホールド５３ａの内部形状に直接形成されていてもよい。別個の静的チューブミキサー５２ｄは、主マニホールドチューブ５３ｆの一方または両方の端部に配置されたネジ山付きキャップを通して取り外し可能であってもよい。主マニホールドチューブ５３ｆの端部に配置された取り外し可能な静的チューブミキサー５２ｄおよび／またはネジ付きアクセスキャップは、マニホールド５３ａの洗浄を容易にする特徴である。また、静的チューブミキサー５２ｄの部分は、マニホールドホース５２ｂ内に配置することもできる。代替的に、ホース５３ｂおよびマニホールド取入れ口５３ｃを含む非混合マニホールド５３ａの全体的な形状は、耐薬品性のゴムまたはシリコーンから一体成形されてもよい。
【００８５】
マニホールド５３ａの機能性を考慮すると、Ｌ字形のマニホールドホース５３ｂに気付く。このＬ字形は、弱いレバレッジポイントとして機能するコーナーを提供し、装置の頭部１４ａが頭皮の湾曲に一致するように、加圧液体充填ホース５３ｂが容易に曲がることを可能にする。
【００８６】
この装置の別の独特な特徴は、オペレータに、個々のアプリケータノズルへの色の流れを止め、他のアプリケータノズルを流すことを可能にする機械的な配置である。この機構は、レバーを押すことによって閉鎖されたホースを効果的に挟み込む。
【００８７】
図１２Ａ〜図１２Ｃに示すように、硬質プラスチックマニホールドチューブ５３ｆの各端部は、マニホールド取付ブラケット５３ｉによってヘッドマウント１５の頂部に着脱自在に固定されている。１つの追加のマニホールド取付ブラケット５３ｅがメインマニホールドチューブ５３ｆの上部中央から延びてラックスライドマウント１７に取り付けられている。マニホールドチューブ５３ｆの長さに沿って固定されているのは、マニホールドチューブ５３ｆから遠ざかるように延びるホース５３ｂの長さのための継手５３ｄとして機能する硬いチューブのいくつかの短い長さである。マニホールドチューブ５３ｆの前方には、クランプレバー取付ブラケット５４ｅが固定されている。各ホース連結部５３ｄの上に１つずつ設けられている。各レバー取付ブラケット５４ｅには、クランプレバー５４ａが回動自在に取り付けられている。クランプレバー５４ａの頂部は、休止位置にある一方で、短い距離だけ僅かな角度でハンドルの頂部前面を横切って後方に延びている。クランプレバー５４ａのこの頂部は平坦であり、親指接触部５４ｂとして働く。クランプレバー５４ａの底部は、ホース連結部５３ｄの底部の真下まで真っ直ぐに延びている。この時点で、クランプレバー５４ａは、ホース継手５３ｄの底部のわずかに後方に伸びた点まで鋭角に戻る。ここで、クランプレバー５４ａのこの下端は、最終的に鋭利な回転をし、クランプレバーホース接点５４ｃを形成するホース継手５３ｄのわずかにホースの後部を横切る。これは、クランプレバー５４ａの形状であり、オペレータが親指５４ｂに親指を当てて押し下げ続けると、クランプレバーホース接点５４ｃは、ホース５３ｂをピンチプレート５４ｆに向かって前方に挟んで、それによって、そのホース５３ｂ（それぞれ解放および係合の位置のホースクランプ機構の側面図を示す図１２Ｂおよび１２Ｃを参照）を通る色の流れを止める。オペレータが親指接触部５４ｂを最も遠い点までひとたび押すと、１つは親指接触部５４ｂの底部、１つはヘッドマウント部１５の前面上部にある、２つの連動するフック５４ｄが共にロックされ、しれによって、クランプレバー５４ａをホースの挟み付け位置に保持する。オペレータは、単に親指接触部をわずかに側面に移動させるだけでよく、クランプレバーロック５４ｄはチューブ５３ｂへの色の流れの復元を解除する。
【００８８】
図１２Ａ〜１２Ｃは、アクチュエータ歯の必要な変形を示す。必ずしも必須ではないが、本実施形態のマニホールドが、記載された類似の実施形態よりもヘッドマウント上に低くなるように、本ホース締め付け機構の全ての部品をマニホールド上及びその周囲に組み込むことが選択され、アクチュエータ歯は、本実施の形態に予め配置されているので、アクチュエータ歯をヘッドマウント及びラックスライドの長さまで機能的に必要な距離だけスライドする機会を有する前に、マニホールド内に移動させる。したがって、ここに描かれているのは伸縮式アクチュエータ歯である。図１２Ａに示すように、装置の反対側の側面の歯は、見えないが、以下に説明する可視スライドアクチュエータの特徴のすべてを有する。
【００８９】
スライドアクチュエータ歯９３の後端は、スライド歯シート９４内にある。スライドアクチュエータ歯９３の前端は、外部に垂直に固定して延在しているスライドアクチュエータ歯チャンネルピン９６を有する。このチャンネルピン９６は、ヘッドマウント１５に形成されたチャンネル９５内に着座し、前記チャンネル９５は、前記ヘッドマウント１５の全長に亘って延びており、内側に開いている。
【００９０】
図１２Ｂに見られるように、底部ハンドル部分２０ｃおよびそれに固定されたスライド歯シート９４は、図１２Ｃの部分よりも遠く離れている。ボトムハンドル部２０ｃの前面がトップハンドル部２０ｂに近づくにつれて、ボトムハンドル部２０ｃの前部もヘッドマウント１５に近づく。これが最終的にメインマニホールドチューブ内に固定されたアクチュエータ歯が入り込む理由である。摺動アクチュエータ歯９３はこの問題を克服する。図１２Ｂは、固定式チャンネルピン９６が歯シート９４から十分拡張されて、が歯チャンネル９４内に着座している状態のスライドチャンネル９６の前部を示している（チャンネルピン９６は太い点で示されている）。図１２ｃは、ボトムハンドル部２０ｃが上昇してヘッドマウント１５に近づくにつれて、歯チャンネルピン９６が歯チャンネル９５に追従して歯シート９４をスライド歯９３の前方に移動させる。この配置により、ヘッドマウント１５の長さを追跡し、それによってヘッドマウント１５に対して同じ位置に留まる。
【００９１】
この新規のアクチュエータ歯の配置は、アクチュエータ歯を必要とする装置の任意の実施形態に含めることができる。
【００９２】
装置の別のマルチフック機構装置の実施形態は、フック機構を、以前述べたマルチフック機構装置の多重フック機構よりも一緒により密接に配置されることを可能にする。
【００９３】
前述の実施形態は、フックの回転運動がフックアプリケータの列によって表される線と平行になるように並べて配置されたフックアプリケータの列を開示している。これは、フックがアプリケータノズルに対してより開放されているほど、個々のフックアプリケータが互いに離れていなければならないことを意味する。これは、フックが隣接フックアプリケータのアプリケータノズルと接触する点までしかフックを開くことができないからである。隣接するフックアプリケータが近ければ近いほど、フックが開くことが少なくなる。この問題のもう一つの解決策は、フックを小さくすることである。しかしながら、これは望ましくない解決法ではない可能性がある。なぜなら、これは、巻き込みされる毛の部分が所望よりも小さくなる可能性があるからである。
【００９４】
この欠点を克服するために、本実施形態は、各フックが開いた位置にあるとき、各フックが各隣接するアプリケータノズルの前に配置されるように互いに角度をなすフック機構の列を特徴とする。したがって、各フックは、各隣接するアプリケータノズルに衝突しない。これを達成するための１つの方法が図１３に示されている。この図は、上述したように横に並んで配置されたフックアプリケータ１ａの上面図を示している。フックアプリケータ１ａのこの列は、装置ヘッド１４ａとして配置されている。さらに、このヘッド１４ａは、装置の残りの部分なしに描かれている。以下で説明するヘッド１４ａの配置に適応させるために、装置の更なる機械的な変更は必要ないので、装置の残りの部分は省略される。図１３は、ギアボックス６の頂部を切り取って、ラックピニオンギア７ｃを露出させ、傾斜ピニオンギア８の配置に着座した傾斜ピニオン７ｄを示す。傾斜ピニオンギア８の位置と傾斜ラック７ａのギヤ歯７ｄを示すことに加えて、図１３も、前述の装置ヘッド１４ａ配置のようにノズル１１ａに対してではなく、隣接ノズル１１ａの前方の開放位置にあるフック２ａを示しており、したがって、この角度のついたアプリケータ１ａの実施形態は、フック２ａを同じサイズのままにして、フックアプリケータ１ａをより接近させて配置することによって、上述の欠点を解決する。
【００９５】
先に説明したラックアンドピニオンギア手段の代替として、以下では、フックを回転させる手段として機械的レバー作用を利用する装置の実施形態について説明する。直前に説明された装置ヘッドの実施形態によれば、この装置ヘッドの実施形態は、同様に、フック軸が毛髪の離型に対してある角度になるように角度をつけて配置された一連のフックアプリケータを特徴とし、隣接するノズルの前で旋回する。本実施形態は、このように配置されたフックアプリケータを特徴とするが、このレバー動作実施形態は、フック軸の離型に対する回動関係もまた、本開示に記載の第１の装置ヘッド構成に従って、ほぼ垂直であるように配置される。
【００９６】
このとき、次のことを述べる必要がある。以下の説明において言及されていない装置の多くの部分は、本開示に記載された装置の第１の実施形態と同様に機能すると想定される。これは、重複した説明を避けるためである。
【００９７】
レバー作用フックアプリケータ７０を示す２つの異なる角度の正面図（Ｆ１Ｇ．１４Ａおよび１４Ｂ）に見られるように、本実施形態は、フックシート６８上で旋回するフック２ａを備えたフックアプリケータ７０を特徴とし、前記フックシート６８は、フックアプリケータ本体６９の上部前面に配置されている。フック２ａは、フック２ａの背面から離れるように延びるレバー６５を特徴とする。フックスライド６１はフックスライド６１のように旋回するので、フックスライドブラケット６４内を案内されてフックスライドチップ６３が前方にスライドする。フックスライド６１が前進すると、フックレバー６５の下を滑動してレバー６５、フック２ａが回動する。フックスライドチップ６３は、フック２ａがノズル１１ａを覆うまで、フックレバー６５に向かって前方にスライドする。反対に、フックスライド６１がフックレバー６５から離れると、フック２ａは、フックスプリング６６の張力によって引っ張られて開位置に戻る。
【００９８】
個々のレバー作用フックアプリケータ７０の機械的作用を説明したので、以下は、複数のレバー作用フック機構からなる装置ヘッドに沿った、全てのタイプのフックを同時に旋回させるために生じる一連の機械的動作である。
【００９９】
図１５Ａおよび図１５Ｂに見られるように、装置のハンドル２０ａは圧縮し、アクチュエータ歯１８は各スライドラックレバー５５ａの傾斜底部５５ｂに向かって上方にスライドし始める。（スライドラックレバー５５ａの傾いた底面は、図１５Ａにおいて太い黒色の２本の線で示されている）。アクチュエータ歯１８がラックスライドレバー角度５５ｂに向かって上方にスライドし続けると、スライドラックレバー５５ａはヘッドマウント１５に近づき始める。
【０１００】
図１５Ｂに示すように、ヘッドマウント１５に対して、スライドラックレバー５５ａを押し込むことにより、スライドラックアクチュエータ５６（これは、スライドラックレバー５５ａの外側に固定されている）がアクチュエータチャンネル５７に入り始める。
【０１０１】
これらのチャンネル５７は、スライドラックマウント５８上に位置する開口である。各スライドラックマウント５８は、各ヘッドマウント１５に固定される。スライドラックアクチュエータ５６がアクチュエータチャンネル５７に入り続けると、スライドラックアクチュエータ５６の傾斜した前面が、それらが取り付けられているスライドラック受け座５９およびスライドラック６０ａを前方に移動する。
【０１０２】
スライドラック６０ａの２つのスライドラックプレート６０ｂの間には、フックスライド６１の頂部６２が挟まれている。引き続き、図１５Ｂを参照すると、これらのフックスライド６１の底部は、フックスライドチップ６３は、フックスライドシート６４内を前後に移動する。ラックスライド６０ａが前方に移動する間に、Ｌ形フックの頂部が摺動し、したがってフックスライドフックスライドチップ６３がフックスライドブラケット６４内で前方に移動すると、フックスライドチップ６３がフックレバー６５を前方に押して、フック２ａを開位置から閉位置に移動させる。オペレータがハンドル２０ａを離すと上記の機械的処理が逆転し、フック２ａがフックバネ６６の張力により開位置に戻り、ラックスライドばね６７の張力によりラックスライド６０ａが休止位置に戻る。
【０１０３】
説明されるこのレバー作用フックアプリケータの実施形態の次の機械的動作は、曲率形状構成（図１６Ａおよび１６Ｂ参照）である。上述したように、スライドラック６０ａとフックスライド６２の頂部との間の機械的関係は、フック２ａの旋回動作を担う。この機能に加えて、フックスライド６２およびスライドラック６０ａの上部部分もまた、ヘッドの湾曲に適合する能力を与える。装置のヘッド１４ａが湾曲するためには、個々の引っ掛け機構７０は、ヘッドマウント１５に対して短い距離だけ上下に移動することができなければならず、わずかに側方に旋回する必要がある。フックスライド６２の頂部部分がスライドラック６０ａ内に配置される連続的な方法により、フックスライド６２の頂部部分が上下に移動すると共に、半径方向に側部に旋回する。ここで、装置の頭部１４ａが頭皮に押し付けられると、各フックアプリケータ７０は、特定の湾曲度を仮定して、他の取り付けられたフック機構７０と協働するために、休止位置から想定しなければならない位置に移動する。各フックアプリケータ７０が移動すると、各フックスライド６２の上部も移動する。
【０１０４】
スライドラック６０ａに挟持されている。ここで、フックスライド６２の頂部は、フックスライド６２の他の頂部とは左右に異なるだけでなく左右に揺動するため、スライドラック６０ａのように前後に揺動することはないこの前面から背面への旋回を防止する。したがって、スライドラック６０ａは、前後に移動することができ、それによって個々のフック機構７０が左右に旋回するだけでなく、上下に異なるように移動するとしても、フック２ａを開位置から閉位置に旋回させることができる。
【０１０５】
説明される最後の違いは、カラーマニホールドの位置および形状の変化である。この歯車駆動式の実施形態は、マニホールドホースをマニホールドからアプリケータノズルに直接延在するように位置決めするオプションをなくし、ラックおよびピニオンギアが配置される領域を介してアプリケータノズルに至る。ピニオンギアが配置され、それによってアプリケータホースが排除される。マニホールドホースがアプリケータノズルの背部にまっすぐに走ることを可能にする機械的構成は、配管が少なく、したがってより簡単に洗浄できる装置ヘッドを提供する。より配管の少ないヘッドに加えて、マニホールドホースはより短くすることができ、したがって、より少ないスペースを取る。
【０１０６】
図１７に見られるように、本レバー作用フックの実施形態は、正面から延在し、低マニホールド５２ｈまで延在する単一のホース５２ｇ（図１５Ａ参照）を有する低マニホールドカラー容器５２ｆを特徴とし、アプリケータノズル１１ａの裏側に配置される。また、低マニホールドホース５２ｉは、マニホールド５２ｈから前方に短く延び、アプリケータノズル１１ａに接続する。
【０１０７】
ホースコネクタならびにこの低マニホールドカラー容器５２ｈの構成に記載されていない他の関連部品は、ここで先に説明したカラー容器の構成に適合させることができる。
【０１０８】
フックアプリケータの任意の実施形態は、ヘアカラーチョーク、マスカラまたは固体または半固体スティックに形成され得る任意の他のタイプのヘアカラーまたはヘアトリートメントの適用のために、液体色塗布を毛髪の巻き込み部分に置き換えることができる。図１８に示すように、この実施形態のフックアプリケータ７１は、フックアプリケータ７１の前足部４ａと後足部４ｇとの間の開口端７２ｂに位置するバネ７３を装填したチューブ７２ａを特徴とし、チューブ７２ａの開口端７２ｂは、閉鎖位置のフック２ａの中空部の中心に位置付けられる。このチューブ７２ａは、前足部４ａおよび後足部４ｇに固定または取り外し可能に配置されている。望まれるならば、バネ７３が装填されたチューブ７２ａは、チューブの開放端７２ｂの両側に固定されたタブ７４ｂを有する。前足部４ａと後足部４ｇの上部には、上部の内側の中心の窪んだタブ座７４ａが設けられる。ここで、バネ装填チューブ７２ａのタブ７４ｂはタブ座７４ａの内におよびそこから外にしっかりとスナップ嵌めされる。ヘアトリートメントスティック７５が、圧縮バネ７３とチューブ７２ｂの底部との間に配置される。ヘアトリートメントスティック７５は、２つの可撓性の薄い交差部材７６によって、チューブ７２ｂの開放端からのはね返りから保持される。これらの交差部材７６は、チューブ７２ｂの開放端に取り付けられ、チューブ７２ｂの開口部の中心、あるいは、近くで交差する。代わりに、交差部材７６は、チューブ開放端部７２ｂの中心に向かって対向するようにチューブ開放端部７２ｂの縁部に取り付けられた１つ以上の小さな可撓性タブの代わりに使用されてもよく、タブが部分的にのみ中心に向かって放射するときに接触してもよいし、しなくてもよい。
【０１０９】
ヘアトリートメントスティック７５の粘度または硬度は、スティック７５の露出チップ７７の上を通過するヘア部分上のスティック７５から容易に磨耗するほど柔らかいものでなければならないが、ヘアトリートメント７５のスティックがバネによってクロス部材７３に押し付けられるときに、スティック７５は、装置が使用されていない間にクロス部材７６を通って押し出さないような、粘度または硬度でなければならない。
【０１１０】
フックの中空は、チューブ７２ａの開放端７２ｂから突出しているヘアトリートメントスティック７５の丸みを帯びた先端７７の部分の直径および形状である窪み２ｂを特徴とする。今度は、フック２ａがヘアトリートメント用スティック７５の先端７７を覆って閉じると、スティック７７の先端はフックならば中空のくぼみ２ｂ内に正確に着座する。フック２ａが毛髪部分を巻き込むと、前足４ａおよび後足４ｇは、髪の巻き込み部分をフック２ａの中空に位置するくぼみ２ｂ上に集中させる。フック２ａが、毛髪処理部分７５の先端部７７を覆って毛髪の巻き込み部分で閉じられると、髪は閉位置を通って移動し、ヘアトリートメントで塗布される。ヘアトリートメントスティック７５の先端部７７が毛の巻き込み部分の繰返し実行により摩耗すると、バネ７３の張力に抗してチューブ７２ａの先端部７２ｂに連続的に供給される。交差するクロス部材７６は、  チューブ７２ｂの端部の所定位置にヘアトリートメントスティック７５の先端７７を保持し、クロス部材７６が繰り返し走行中にわずかに動くことができるので、スティックヘアトリートメント７５の先端部７７が均一に摩耗することを可能にし、クロス部材７６の直下でヘアトリートメント７５の先端部７７に摩耗しない縁が形成されるのを防止する。
【０１１１】
オペレータは、ヘアカラー多様なサービスを求めている客のさまざまなニーズや要望に、彼女がこの装置を使用する方法を適応させる必要性を感じる。オペレータは、色処理された毛の列の間の距離を変えることができる。これにより、受けている人は、カラーサービス全体に配置された多かれ少なかれカラー処理部分の範囲内で選択することができる。これに加えて、受けている人は、厚いまたは細かい個々の色処理部分の範囲内で選択することができる。オペレータが装置の頭部を髪の毛の分離に近づけた場合、装置は毛髪のより細かい部分を巻き込み、したがってトリートメントする。オペレータが毛髪の分離から装置のヘッドを離すほど、巻き込みされ処理された部分はより厚くなる。装置のヘッドを離型剤と平行に保ちながら、オペレータは処理された列の連続した配置を左右にわずかにずらしてもよい。上述した３つの技術的変数を調整することにより、単一の装置ヘッドを使用してカラーサービスの最終的な外観の様々な態様を変更することができる。しかし、複数の装置ヘッドを選択できる装置では、最終的な外観のばらつきがはるかに大きくなる。取り外し可能で交換可能な装置ヘッドの実施形態について、ここで説明し図示する。
【０１１２】
広範囲の様々なヘッドタイプは、一連のフック／フックアプリケータサイズを作成し、それらを互いに異なる幅のヘッド上に様々な距離に配置することによって具現化することができる。より大きいフック／フックアプリケータは、毛髪のより広い／より大きな部分を巻き込み、逆に、より小さいフック／フックアプリケータは、毛髪のより狭い／より小さい部分を巻き込む。また、フックを備えたヘッドは、より離れてまたはより近くに間隔を置いて、巻き込み部分の列に沿った各巻き込み部分を、互いからさらに離すかまたは互いに近づける。当然のことながら、その後、幅の広いヘッドは、より広い行の巻き込み部分をレンダリングする。
【０１１３】
図１９Ａは、おそらく中程度の幅のヘッド１４ａを含む、互いにより大きな距離に配置された３つのより大きいフック２ａを有する装置ヘッド１４ａを示す。図１９Ｂは、５つのより小さいフック２ａが互いにより近接して配置され、おそらく中程度の幅のヘッド１４ａを形成する装置ヘッド１４ａを示す。図１９Ｃは、おそらく、互いにより近接して配置された４つのより大きなフック２ａを有する中間幅の装置ヘッド１４ａである。図１９Ｄは、より狭い幅のヘッド１４ａを含む互いに近接して位置する３つのより大きなフック２ａの装置ヘッド１４ａである。図１９Ｅは、ワイドヘッド１４ａに沿って互いに近接して配置された６つの小さなフック２ａを示す。可能な限り多くのヘッドバリエーションがあり、これまでに開示されてきたことを考慮してすべてが明らかになると述べることで十分であってもよい。
【０１１４】
装置の本体に迅速かつ容易に取り外して再取り付けするヘッドを作るために採用され得る多数の機械的配置が存在する。取り外し可能なヘッドの１つの好ましい実施形態を図２０Ａおよび２０Ｂに示す。これらの図は、ヘッドマウント１５から引き離すローラ継手１４ｄと、カラー容器継手５１ｂから引き離すマニホールド吸気口５３ｂと、ラックスライドシート７ｂから引き離すラックギアピン１６ｂとを含むヘッド１４ａを示している。この場合にヘッドを再取り付けするには、単に取り外したものをオペレータが再取り付けするだけでよい。
【０１１５】
別の取り外し可能なヘッドの実施形態が図２１Ａ〜図２１Ｃに示されている。これらの図は、装置のヘッド１４ａ並びにヘッドマウント１５及びアクチュエータ歯１８が取り外される取り外し可能な構成を特徴とする装置の実施形態を説明している。この構成は、ヘッド１４ａの幅が着脱可能なヘッド毎に異なることを可能にする。図２０の着脱可能なヘッド構成だけでは、できない。
【０１１６】
図２１Ａ〜図２１Ｃの実施形態は、小さなバネ式解放レバー（７８ａおよび７８ｈ）を利用する。図２１Ｃは、使用される解除レバー（７８ａおよび７８ｈ）のタイプの拡大図を提供するために含まれている。ヘッド解除レバー７８ａは、トップヒンジプレート２０ｂの前部を取り外すことを可能にする。このようにして、ヘッド１４ａ、ヘッドマウント１５、ラックスライドマウント１７およびラックスライド１６ａは、ヘッドリリースレバー７８ａのトリガー７８ｂの１つのプレスで装置から取り外される。アクチュエータリリースレバー７８ｈは、下部ヒンジプレート２０ｃの前部部分、したがってアクチュエータ歯部１８を取り外すことを可能にする。より幅の広いヘッドマウント１５がより広いアクチュエータ歯１８を必要とするので、取り外し可能なアクチュエータ歯１８が必要である。
【０１１７】
上述したように、トップハンドル部２０ｂの前方には、ヘッドレストレバー７８ａが配置されている。レバー７８ａのトリガー７８ｂ側は、上部ハンドル部分２０ｂの遠位前面の輪郭に沿って下方に湾曲し、ラッチ側面７８ｃは真っ直ぐ後方に延び、ラッチピン７８ｄを形成する短い直角曲がり部で終わる。休止位置では、ラッチピン７８ｄは、小さな穴またはラッチピンアイレット７８ｅに載っている。アイレット７８ｅは、上部ハンドル部分２０ｂの取り外し可能な前面の中空インサートシート７９の内側で開口している。トップハンドル部２０ｂの着脱可能な前面のインサートシート７９は、背面が開放されており、取り外した状態でトップハンドル部２０ｂの遠位前方に取り付けられたインサートタブ８０ａに嵌合する。刻み目またはピン座８０ｂは、挿入タブ８０ａの上面に配置されている。インサートタブ８０ａがインサートシート７９上の完全係合位置にあるとき、ピン座８０ｂはピンアイレット７８ｅと並んでいる。これにより、ラッチピン７８ｄがアイレット７８ｅを通ってピン座８０ｂに着座することにより、ピン座８０ｂのラッチピン７８ｄを保持しているエルボタイプのラッチバネ７８ｆの張力によって、装置の本体上に装置を移動させる。
【０１１８】
装置の前面を本体から取り外すために、オペレータは、レバー７８ａのトリガー７８ｂを単に押し下げ、トリガー側７８ｂおよびラッチ側７８ｃをヒンジ７８ｇ上で旋回させる。レバー７８ａのトリガー側７８ｂが下方に回動すると、ラッチピン７８ｄは、ラッチスプリング７８ｆの張力に抗してピン座８０ｂから上方に旋回し、ピン座８０ｂから旋回する。ラッチピン７８ｄがピン座８０ｂから持ち上げられた状態で、オペレータは装置の着脱可能な前面を前方に単に引っ張り、それは単に滑り落ちる（図２１Ｂは着脱可能なヘッドを取り外した状態で示す）。ラッチピン７８ｄが後方に傾斜すると、オペレータは挿入シート７９を挿入タブ８０ａ上に単にスライドさせ、ラッチピン７８ｄはタブ８０ａ上をそれが摺動する際に持ち上げられ、ラッチバネ７８ｆの張力により、次にラッチピン座８０ｂ内の適所に押し下げる。
【０１１９】
図２１Ａおよび図２１Ｂにも示されているように、アクチュエータ歯１８は、アクチュエータリリースレバー７８ｈを利用してボトムハンドル部分２０ｃの前部から離脱し、それに再び取り付けられる。アクチュエータ解除レバー７８ｈの動作については、上述のヘッド解放レバー７８ａの作用の説明を参照されたい。
【０１２０】
他の好ましい着脱可能なヘッドの実施形態が図２２Ａ〜図２２Ｆに示されている。この実施形態は、ヘッドマウントとラックスライドアクチュエータの両方の幅を調整するために螺旋状のネジを有するダイヤルを使用する。ダイヤル式調節可能ヘッドマウントについて最初に説明し、続いてダイヤル式調整式ラックスライドアクチュエータについて説明する。ラックスライド１６ａ、ラックスライドマウント１７およびラックスライドスプリング１９がヘッドマウントの１つに適切に取り付けられている以下のダイヤル調整可能なヘッドマウント機械的構成を考慮しながら注意することが重要である。
【０１２１】
図２２Ａは、２つのヘッドマウント１５のそれぞれが、スライドプレート８１とヘッドマウント１５とからなることを示している。各スライドプレート８１は、トップハンドル部２０ｂの前面に別個に取り付けられている。上部ハンドル部分２０ｂの上部前方には、互いに平行に走り、互いに短い距離にある２つのスライドレール８２が固定されている。各スライドプレート８１には、２つのスライドレール取付具８３が形成されている。各フィッティング８３は、３つの側面上の各スライドレール８２をしっかりと囲むが、各フィッティング８３が各レール８２に沿って摺動するのを防ぐためにきつく締め付けない。このスライド構成は、各スライドプレート８１およびそれに固定されたヘッドマウント１５左右にスライドする。図２２Ａおよび図２２Ｂは、両方のスライドレール８１に嵌合されたときに両方のスライドプレート８１上に単一のダイヤル８４が配置されていることを示している。ダイヤル８４は、トップハンドル部分に固定された軸８５  ２０ｂ。ダイヤル８４は、ダイヤル８４がレール取付具８３にしっかりと押し下げられるように配置されているが、ダイヤル８４は回転可能である。オペレータが容易にダイヤル８４を回すことができるように、ノブ８６またはより好ましくはキースロット８６が、ダイヤル８４の中央に配置される。キースロット８６は、ダイヤル８４がオペレータのためのサムレストでもあるので；したがって、キースロット８６は、この目的のために、妨害が少ない。装置はまた、オペレータがダイヤル８４を回転させるためにコインを使用することができるように、コインと寸法的に類似するキーを含む。
【０１２２】
ダイヤル８４の底部に沿って車軸８５からダイヤル８４の外縁まで放射するのは、２つの糸８７である。これらの糸８７は、ダイヤル８４の底を横切って螺旋状に湾曲した細いチャンネルである。このように、各スライドプレート８１の上面は、短い、おそらくは円筒状の糸挿入体８８である。その名前が示すように、糸挿入体８８は、ダイヤル８４の糸８７に着座する。次に、オペレータがダイヤル８４を回転させると、糸挿入体８８は各ねじ８７に沿って前後に移動し、各スライドプレート８１およびヘッドマウント１５を各スライドレール８２に沿って前後にスライドさせる。
【０１２３】
ダイヤル８４の裏側に位置合わせされた番号付きのダイヤル位置８９がある。番号が位置する領域は、スライドレール取付具８３と同じ高さまで上昇する。任意の数のダイヤル位置８９が示されてもよいが、好ましくは、位置は、装置が利用可能なヘッド幅の数と同じになる。我々の好ましいダイヤルの実施形態は３つの位置を有する。
【０１２４】
セットインジケータ９０のマークは、ダイヤル８４の上面の後縁に配置されている。ダイヤル８４の底部には、セットインジケータ９０の真下に小さな突起９１が位置している。トップハンドルの隆起した番号の付いた領域部分２０ｂは、くぼみ９２である。ダイヤル８４の下に各ダイヤル位置８９の真正面に位置する１つのくぼみ９２がある。
【０１２５】
また、各くぼみ９２は、ダイヤル突起９１と整列している。そのため、オペレータがダイヤル８４を回転すると、突起９１窪み９２にはめ込まれる。各はめ込まれた番号付のダイヤル位置８９は特定の取り外し可能ヘッドの特定の幅に対応する。
【０１２６】
図２２Ｂ、図２２Ｃおよび図２２Ｄは、それぞれ３つのダイヤル８４位置ならびに対応するヘッドマウント１５の位置のすべての描写である。  図２２Ｅは、ヘッド１４ａを含むダイヤル調節可能なヘッドマウントの実施形態を示す。
【０１２７】
図２２Ｆは、ヘッドマウント１５と同じダイヤル８４制御調整機能を有するアクチュエータ歯１８ａを示す装置の底面図を示す．２つのアクチュエータ歯１８ａの各々は、スライドプレート８１とアクチュエータ歯１８ａとからなる。各スライドプレート８１は、底部ハンドル部２０ｃの底面前方に別個に取り付けられている。底部ハンドル部分２０ｃの底部前部には、互いに平行に走り、互いから近距離にある２本のレール８２が固定されている。アクチュエータ歯のダイヤル制御による調整機能の他のすべての機械的側面は、前述のヘッドマウントのダイヤル制御による調整機能の機械的側面と同じである。
【０１２８】
図２３Ａは、先の実施形態よりも使用するのがよりコンパクトで、より複雑である、装置の好ましいペンまたはマーカタイプの実施形態を示す。この実施形態は、消費者がそのような装置を相互、または、彼または彼女自身に使用することをより可能にする単一のフックアプリケータ１ａのみを特徴とするため、これまで提示された実施形態のすべての可能性が最も高い。
【０１２９】
一般に、図２３Ａは、歯車箱６の側面に沿って本体プレート５０ａに固定された装置の単一の掛け金アプリケータまたはヘッド２８を示す。本体プレートの後方から伸びるのは、分離ステム２７である。本体プレート５０ａとほぼ同じ寸法のプレート４４は、本体プレート５０ａから一定の距離をおいて対向して配置されている。
【０１３０】
本実施形態は単一のフックアプリケータを特徴とするが、この実施形態はまた、２つ以上のフックアプリケータを装置の頭部として特徴付けながら、使用および機械構成において、ほとんど同じ容易さを維持する。例えば、本実施形態は、互いに接合された２つまたは３つのフックアプリケータからなるヘッドを並べて並べて配置してもよい。このヘッドは、ギアボックスの１つの側面に固定されたボディプレートを有することもでき、以下で説明する機械的特徴の全てを含む。さらに、単一のフックアプリケータヘッドのように、この２つまたは３つのフックアプリケータヘッドは、前述した４つ以上のフックアプリケータヘッドと同様に、頭部形状特徴を必要としない。これは、２つまたは３つのフックアプリケータヘッドのスパンが十分に狭いので、前記ヘッドの特定の固定された向きが、頭が様々な湾曲に曲がるか曲がる必要性を克服するからである。
【０１３１】
フックアプリケータの図示された説明は、本開示の先に提示されている。したがって、フック係合および液体毛の色放電に関与する機構の詳細な図示の説明と調和させるために、以下ではフックアプリケータの説明を簡潔な方法で行う。
【０１３２】
本発明の単一フックアプリケータヘッドの実施形態は、前述した複数のフックアプリケータヘッドの実施形態と同様のシーケンシャルな髪の巻き込みおよびカラー分配トリガー機能を特徴とする。これを担う機構を以下に説明する。
【０１３３】
図２３Ｂに見られるように、単一のトリガー２９ａが、両方の本体プレートウィング５０ｂの本体プレート５０ａの前面にヒンジ３０されている。トリガー２９ａが開いた静止位置から移動すると、トリガースプリング３２の抵抗に抗してトリガー２９ａが移動する。バネ３２の巻回された旋回部分は、トリガーヒンジピン３１が貫通して配置される。トリガースプリング３２は、トリガー２９に一端で、他端でトリガースプリングアイレット３３によって上部本体プレートウィング５０ｂに、レバレッジされる。
【０１３４】
図２３Ｃに見られるように、トリガー２９ａは、トリガーヒンジ３０を介して絞りプレート４４に向かって旋回し、フック２ａを開位置から閉位置に向けて旋回させ、トリガー２９ａに由来する一連の調整されたレバーおよびスライドヒンジ機構によって容易にする。以下は、この機械的動作の詳細な説明である。
【０１３５】
トリガー２９ａは、図２３Ｂおよび図２３Ｃを順に（図２４Ａおよび図２４Ｂも順に参照して）見る一方で、静止位置から絞りプレート４４に向けて回動し、トリガースライド３５をトリガースライドヒンジ３６ａ上で旋回させ、トリガースライドプッシュロッド３６ｂによってトリガースライドヒンジ３６ａに押し込まれている。トリガースライド３５のヒンジ付き後部のこのスライドフォワードは、プッシュロッド３６ｂがトリガースライド３５およびトリガースライドヒンジ３６ａの一方の側にヒンジ止めされる一方で、本体プレート５０ａの後部に他方の側には、プレートスタビライザヒンジ４６を締め付ける。したがって、プッシュロッド３６ｂおよびトリガースライド３５をトリガースライドガイド３７を介して前方にある角度で押すトリガー２９ａの協調ヒンジスライドレバー作用である。
【０１３６】
トリガースライド３５が前進して、トリガースライドガイド３７と本体プレート５０ａの頂部ウイング５０ｂとの間に挟まれたとき、トリガースライド３５の前部は、トリガースライドチャンネル３９が内部に配置された固定トリガースライドガイドピン３８を含む。トリガースライドの遠位前面が前進すると、スライドウェッジ４０ａの接触角４０ｂ（単一の短い太線で示される）に遭遇する。トリガースライド３５の前部がスライドウェッジ接触角４０ｂを超えて移動すると、スライドウェッジ４０ａがスライドウェッジスプリング４０４の張力に抗して下方にスライドし、本体プレート５０ａとスライドウェッジブラケットとの間に挟まれてガイドされる。スライドウェッジ４０ａのこの下方への移動により、ウェッジ部分４０ｃは、本体プレート５０ａの前部とラックギアスライド４２ａとの間にくさび状になる。ラックギアスライド４２ａがラックギア７ａに固定されると、ラックギア７ａが側方にスライドする。このラックギア７ａの動きにより、ピニオンギア８が回転し、フック２ａがアプリケータノズル１１ａ上の閉位置に移動する。フック２ａがアプリケータノズル１１ａを覆って閉鎖される点までトリガー２９ａを絞ると、トリガー絞りプレート接触点２９ｂが絞りプレート４４と接触する。トリガー２９ａを絞り続けると、フック２ａが閉位置に維持されるトリガースライド３５が完全に係合したスライドウェッジ接触角４０ｂを越えて前進するだけであり、トリガー絞りプレート接触点２９ｂは引き続き絞りプレート４４を本体プレート５０ａに向かって押す。
【０１３７】
図２３Ｂに示すように、絞りプレート４４の移動は、本体プレート５０ａの前面に位置する絞りプレートスライドヒンジ４８ａと、本体板５０ａの後部に配置された絞り板スライド安定板４５とを備えている。絞りプレートスライドヒンジ４８ａは、絞りプレートスライドヒンジチャンネル４９ａに沿って絞りプレート４４のこの端部を本体プレート５０ａに向けて前後にスライドさせるように案内する。絞りプレートスライドスタビライザ４５は、絞りプレート４４の移動を、絞りプレート４４の背面で前後に対面するように案内する。この矩形のロッド４５は、一方の本体プレート５０ａにヒンジ止めされ、絞りプレートスタビライザスライドブラケット４７内の他方の絞りプレート４４に対して摺動可能にヒンジ結合されているので絞りプレート４４を本体に接近させるトリガー２９ａがｙ軸に沿って縁部にほとんど揺動しない状態で旋回するのと同じ軸（ｘ）に沿って、プレート５０ａを回転させる。
【０１３８】
図２４Ａ〜図２４Ｄに見られるように、絞りプレート４４の本体プレート５０ａへの接近は、装置の底面に沿って配置された二重エルボー絞り板ばね４８ｂの張力に抗して生じる（より明瞭にするために、デュアルエルボーばね４８ｂは、装置の底面に沿って配置されているが、図２４Ａでは太い黒色で示されている）。絞りプレート４４が本体プレート５０ａに近づくと、好ましくは、絞りプレート４４の背面が本体プレート５０ａの背面とまず接触し（図２４Ｃに見られるように）、その後、絞りプレート４４の全長が本体プレート５０ａと全面的に対面接触するまで（図２４Ｄに見られるように）、本体プレート５０ａの前方へ絞りプレート４４の前を角度をつけて前進する。
【０１３９】
絞りプレート４４を本体プレート５０ａに接近させるこの方法は、図２４Ａに示される好ましいタイプのようなフルカラー容器５１ｊが装置内に機能的に装填されると、カラー容器５１ｊは徐々に、毛髪の頭部を通して装置を連続的に走行させ、背中合わせに空にする。実際には、個々の走行の各々は、絞りプレート４４および本体プレート５０ａが図２４Ａに示された位置に現れたときに開始し、絞りプレート４４まで連続した個々の走行を通って図２４の機械的シーケンス全体が徐々に続き、カラー本体５１ｊを空にした図２４Ｄに示すように、絞りプレート４４が本体板５０ａと対面するまで続く。
【０１４０】
このカラー容器５１ｊの前後退処理は、デュアルエルボーバネ４８ｂが絞りプレート４４の前部と本体プレート５０ａの前部との間に張力を発生させることにより確実に行われ、  ２つのプレートのそれぞれの、互いに離れて最も開いた位置にある。デュアルエルボースプリングの一方のエルボーが本体プレート５０ａの一方の側に、他方の側が絞りプレートスライドヒンジピン４９ｂに取り付けられているので、この張力は維持される。スプリングと絞りプレートの前部との間の取り付けは、底部絞りプレートスライドヒンジピン４９ｂが２つのスプリング４８ｂコイルの一方の中心を通って延びるので維持される。このスプリング４８ｂのコイル取付部は、第２の好ましい絞りプレート４４張力の旋回点でもある。この前側の旋回力は、トリガー２９ａが解放されたときに、絞り板４４の後部を本体板５０ａの背面から開放された最も離れた位置に押しやる。上述した両方の外方張力が２つのプレートの前面に位置するので、トリガー２９ａの接点２９ｂによって絞りプレート４４の中央に加えられる内向きの圧力は、毛のヘッドを通した装置の連続運転を介して、絞りプレート４４の後部をボディプレート５０ａの前の方に移動させて絞りプレート４４の前のアプローチの後に、まずボディプレート５０の後ろに接触する。
【０１４１】
図２３Ｂおよび図２４Ａに示すように、トリガー２９ａが解放される個々の走行のポイントは、トリガー２９ａがトリガーバネ３２の張力によって開位置に旋回するようにさせる。この機械的作用により、絞りプレート４４が本体から離れるデュアルエルボー絞り板ばね４８ｂの張力に抗して絞りプレートを開放休止位置に戻す。同時に、トリガースライド３５は休止位置に戻り、その際、スライドウェッジ接触角４０ｂから滑り落ちる。このスライドウェッジ接触角４０ｂの解除により、スライドウェッジ４０ａがスライドウェッジスプリング４０ｄの張力で上方にスライドし、スライドウェッジ４０ａのウェッジ部４０ｃがラックスライド４２ａとギアボックス６の側面に当接する。そして、ラックスライド４２ａは、ラックスライドスプリング４２ｂの張力によりギアボックス６側に摺動可能なラックスライドシート４３に案内されて内方へスライドする。最後に、ラックギア７の片側がラックギアスライド４２に取り付けられると、ラックギアスライド４２ａの内方への移動により、ラックギア７がピニオン歯車８と共に休止位置に戻り、従ってフック２ａも休止位置に戻る。
【０１４２】
カラー容器のバルブ、ネックおよび継手は、単数形でのみ具体化された、本開示で先に説明したマルチフックアプリケータの実施形態で説明したカラー容器と同じである。
【０１４３】
上記で使用されているように装置が説明されているので、フックは図１Ａの開放位置から図１Ｂの閉鎖位置に移動し、それによって、毛髪の一部を閉鎖位置図１Ｂに巻き込む。これが起こると、毛髪の各巻き込み部分は、各アプリケータノズル１１ａのカラーアパーチャ５の直下に自動的に位置決めされるようになる。ここで、オペレータが装置のハンドルを絞り、装置を頭皮から引き離すと、カラーは各アパーチャ５を出て、各ビーグルのビードをそれぞれの巻き込み部分１ｂの上にのみ堆積させる。巻き込み部分１ｂは、したがって、出口各巻き込み部分１ｂの頂部に塗布されたカラーのビードを有する閉位置。これは、（図３Ｄに示すように）アプリケータノズル１１ａのヘアカラー開口部５と前足チャンネル４ｃとの間の距離が非常に小さく、巻き込み部１ｂがカラー１ｄのビードの前に閉じた位置を出るためである毛髪ｌｂの巻き込み部分に完全に圧入される機会を有する。毛髪ｌｂの巻き込み部分にビーズ色１ｄを制御して堆積させることは、装置の有用で新規な特徴であるが、毛１ｂの巻き込み部分が望ましい場合がある。
【０１４４】
装置を通って搬送されるときに、毛髪１ｂの束に色１ｄのビーズを完全に浸透するための有効な方法は、閉鎖位置を伸ばすことである。細長い閉鎖位置は、色がアプリケータノズル１１ａの色開口５を出るときに、色を与え、カラー処理された巻き込まれた部分が閉位置の前を出る前に、巻き込まれた部分を十分押圧し、それを十分飽和するための時間と空間を与える。
【０１４５】
単にフック２ａおよびアプリケータを広くすることで、この目的を行うには十分であると言う仮定も可能である、しかしながら、フック２ａが広くなると限界が明らかになる。現在描かれているものよりも越えてわずかにフック２ａ広げられると、フック２ａは広すぎて、髪１ｂを有効に巻き込めない。以下の実施の形態は、フック２ａの最初の髪の巻き込み部分を広げることなく、閉位置を細長くする追加の構造を含む。
【０１４６】
図２５Ａおよび図２５Ｂに見られるように、フックアプリケータ１ａは、図１Ａおよび１Ｂに見られるように、それぞれ同じ開位置および閉位置で示されている。また、図２５Ａおよび図２５Ｂには、フック２ａおよび前足４ａの両方の前面に取り付けられて前方に延びる追加の構造的特徴が示されていることに注意のこと。フック２ａの前面に取り付けられた構造は、フック延長部１００ａである。前足部４ａに取り付けられた三角形の粘弾性フォーム充填構造体は、足延長部１０１ａである。フック延長部１００ａおよび足延長部１０１ａは、毛１ｂの部分が絡み合って互いに閉じられた位置にあるとき（図２５Ｂに見られるように）、フック延長部１１０ａおよび足延長部１０１ａが飽和チャンバー１０２ａを形成する。この飽和チャンバー１０２ａは第２段階のカラー塗布を表す。したがって、閉位置にあるフックおよびアプリケータは、第１段階である。フック延長部１００ａおよび足延長部１０１ａ（第２段階）が追加されると、液体色は、毛髪の巻き込み部分とともに移動する追加の発泡体チャンネル距離を有し、これにより、液体ヘアカラーが巻き込まれた部分により混合する機会が増える。
【０１４７】
図２６Ａ〜図２６Ｄは、フックアプリケータ１ａの一連の底面図を示す。これらの図は、完全に開いた位置から、中間の回転フック２ａの位置を通って、完全に閉じた位置への毛の巻き込みの過程を示しており、その中に毛束２ｂが巻き込みされている。
【０１４８】
フック２ａとフック延長部１００ａが図２６Ａに示された全開位置から移動するにつれて、図２６Ｂに示す中間位置に移動し、毛１ｂの部分は、フック２ａだけに巻き込まれることに注意のこと。フック延長部１００ａは、この時点では、毛１ｂの巻き込み部分とまだ相互作用していない。
【０１４９】
図２６Ｃは、次の回転位置を直列に示しており、フック２ａによって巻き込みされ、フック延長部１００ａと最初に接触した巻き込み部分ｌｂを示す。図示されているように、フック延長部１００ａは、フック３ａの点から離れてフック２ａの前部に取り付けられている。この構成は、フック２ａがフック延長部１００ａに遭遇する前に毛髪１ｂの部分を完全に巻き込むことを可能にする。これは、毛１ｂの部分を一貫して巻き込むためのフック２ａの能力を危険にさらすことなく、閉鎖位置２ａを広げる好ましい方法を表す。
【０１５０】
図２６Ｄは、フックアプリケータ１ａを、毛１ｂの部分を全閉位置に巻き込みさせたその延長部１００ａ、１０１ａと共に示す。ヘアｌｂの巻き込み部分は、結合されたフック２ａおよびフック延長部１００ａの全幅内に完全に配置されていることに留意されたい。また、フック延長部１００ａは、フック延長部１１０ａの内面がフック２ａの外面に取り付けられるようにフック２ａに取り付けられていることに留意されたい（図２６Ａ〜図２６Ｄおよび図２７Ａこの位置の正面図）。この配置は利点を提供する。フック２ａが回転して髪の毛１ｂの部分を引き込むと、フック延長部１００ａのわずかに丸みを帯びた前部角１００ｂと組み合わされたフック２ａに対するフック延長部１００ａのこの下方位置は、むしろ、それにぶつかり、それを横に押し出すよりも、それが巻き込み部分１ｂの下に容易にスライドするのを許容する。
【０１５１】
ここで、飽和チャンバーを特徴とする本実施形態は、毛抱き込みの文脈で記載されているが、以下では、毛髪の巻き込み部分への制御された徹底したカラー塗布の観点からの前記実施形態の説明である。
【０１５２】
図２７Ａおよび２７Ｂを参照して、発泡シール１０１ｂが足延長部１０１ａ内の空間を占めることに注目されたい。発泡体１０１ｂの一部が折り曲げられ、折畳み部の角部が足伸長部１０１ａの内側隅部１０１ｃに取り付けられ、折り畳み部の両側が引き伸ばされる。折り畳まれた部分の各側の遠位端は、足延長部１０１ａの外縁１１０ｄを包み込み、それぞれの外縁１１０ｄに取り付けられる。
【０１５３】
図２７Ａおよび図２７Ｂを連続して参照して、フック２ａが開位置から閉位置に旋回すると、フック延長部１００ａの外側縁部１００ｃは、足延長部１０１ａの泡巻き縁部１０ｌｄと接触し、しっかりと圧縮する。また、閉鎖位置２７Ｂでは、発泡体は、フック延長部の内面のほとんどが、発泡体と外側縁部から折り目に向かって軽く圧縮接触するように十分に厚く、折畳み部は、フック延長部に接触する。この発泡体配置は、足伸展部１０１ａの両方の発泡体包囲縁部１０ｌｄに沿ってシールを形成し、それにより発泡体の折り目（発泡体チャンネル１０ｌｅ）は、毛の巻き込み部分と共に、次に、閉鎖位置の正面から出る。
【０１５４】
この追加の長さの閉鎖位置１０２ａを通るヘア部分とヘアカラーとを一緒に流すことにより、完全に色が飽和した毛髪部分が飽和チャンバー１０２ａの前面から出るのを助ける。発泡体の厚さおよび密度は、発泡体チャンネルのサイズ、したがって、色の流れを増加または減少させるために、または色の粘度の差に適応するように調節されてもよい。
【０１５５】
特に、閉鎖位置の内側の幾何学的形状を変化させることによって、完全に色が飽和した毛髪の部分が閉鎖位置から出現することも保証される。上述したフック延長部１００ａの下方位置は、このような内側ジオメトリの変化をもたらす。この好ましい変形は、フック２ａの前縁からフック延長部１００ａの後縁までの段差１００ｄの形態である（図２６Ａ−Ｄ参照）。このステップダウン１００ｄは、巻き込み部分１ｂが依然として閉鎖位置にあるとき、毛１ｂの巻き込み部分の下に開放空間を形成する。毛髪がアパーチャ５から流出すると、カラー塗布の第１段階において、カラーが巻き込み部分１ｂの上部に流れ、その後、カラーが第１段階からカラー塗布の第２段階に流れるにつれて、このステップ１００ｄの下方にある巻き込み部分１ｂの下方の空間は、毛１ｂの巻き込み部分が閉鎖位置を通過する間に、毛１ｂの巻き込み部分の下を流れる色を与える。従って、このステップダウン１００ｄポイントと組み合わせて移動した閉鎖位置の付加的な発泡体チャンネル距離は、閉鎖位置を出る前に毛髪の巻き込み部分ｌｂを完全に毛髪で覆うようにする。
【０１５６】
以下では、別の改良されたヘアコーム型グルーミング器具の形態の本発明の実施形態について説明する。前記櫛は機械的に修正され、髪の毛の部分を閉鎖位置に巻き込みさせると共に、前記髪の部分にヘアカラーを塗布する。
【０１５７】
櫛がこれらの機能のうちの第１の機能を実行するために、一連のフックが櫛の歯の一部または全部の間で開位置から閉位置に移動する。図２８Ａから図２８Ｃに示す好ましい実施形態は、フック１０３ａの４つの合計１０４個の櫛歯１０４ａについて、１つおきの歯１０４ａの前の開放位置にある前記フック１０３ｂの４つを示している。各フック１０３ａがスライド部材１０３ｂに取り付けられていることに留意されたい。この摺動部材１０３ｂは、くし歯部１０４ｃの背部１０４ｂを横切って延び、ハンドル１０５ａの頂部を横切って後方に延び続ける。スライド部材先端１０３ｂはヒンジ分岐１０５ｃの接点座１０５ｄに当接してハンドルヒンジ１０５ｂの底部に向かって下方に傾斜している。
【０１５８】
ここで、オペレータがハンドル１０５ａを握ると、ハンドルヒンジ１０５ｂが前方に回動し、ヒンジ分岐部１０５ｃの接点台１０５ｄがスライド部材先端１０３ｂを前方に押す。フック１０３ａがスライド部材１０３ｂに取り付けられると、フック１０３ａは、ハンドル１０５ａを握ることによって開位置から閉位置に移動する。前述した実施形態の絞りハンドル１０５ａの動作と同様に、本実施形態の絞り込みの第１の増分（図２８Ｂ参照）は、フック１０３ａを開いた位置から閉じた位置に移動させ、第２の押し込み量（図２８Ｃ参照）フック１０３ａを閉位置に維持した状態でカラー容器１０６ａに色分与圧力を加える。ヒンジ分岐部１０５ｃの分岐バネ１０５ｅは、フック１０３ａが閉鎖位置よりも遠くに進まず、ハンドル１０５ａは、カラー容器１０６ａが空になる点までずっと接近し続けることができる。ハンドルヒンジ１０５ｂおよび分岐部１０５ｃは、フック１０３ａが閉位置に達するまで、一体的に移動する。フック１０３ａが閉じられると、ヒンジ１０５ｂは前方に旋回し続けるが、分岐部材１０５ｃは、スライド部材１０３ｂ、したがってフック１０３ａを前方に押圧したまま静止状態を維持する。これは、分岐ばね１０５ｅが、ハンドルヒンジ１０５ｂの旋回に抵抗するのに十分な張力を有しておらず、フック１０３ａの閉じた位置に圧力を維持するのに十分な張力を有するからである。オペレータがハンドル１０５ａを離すと、フック１０３ａが休止位置に戻る。これは、摺動部材の遠位端１０３ｃが接触座１０５ｄ内に連続的に載置されるときに生じる。オペレータがハンドル１０５ａを握ると、接点台座１０５ｄがスライド部材１０３ｂを前方に押す。反対に、オペレータがハンドル１０５ａを離すと、接点シート１０５ｄがスライド部材１０３ｂを引き戻す。
【０１５９】
使用時には、オペレータは、分離ステム１０７を使用して、毛髪に沿って好ましくは４〜１０ｃｍ直線毛を離すように引く。その後、オペレータは、分離の頂部を構成する毛髪を一緒に集め、それを一時的に固定し、分離から離し、頭皮に沿って分離線１ｃを露出させる。次に、オペレータは、第１の分割に隣接しかつそれに平行な別の分割を引いて、頭皮に平行なこの位置に分割ステム１０７を維持し、第１の分割とそれにドレープされた毛の部分を有する。第１の分離と第２の分離の間の距離は、好ましくは１〜１０ｍｍである。オペレータは、今度は分離ステム１０７を頭皮から離して慎重に移動させて、毛髪のドレープ部分を毛髪の残りの部分から離して離す。髪の毛の部分が頭皮から離れると、彼女の自由な手で、オペレータは、髪の毛の袖口を持ち上げて、離しステム１０７から持ち上げる。彼女は、部分ｌｈのすべての毛髪が頭皮から真っ直ぐに突き出るように、髪の毛の部分を快適に緊張させるように引っ張る。好ましくは９０度の角度である。櫛部１０４ｃの歯１０４ａが毛髪１ｈの部分に向かって下向きに指し示された状態で、櫛部１０４ｃが頭皮１ｆに平らに対向し、好ましくは毛髪１ｈの分離された部分より上にあるように、術者は装置を回転させる。彼女は、櫛１０４ｃの全ての歯１０４ａの間で、断面全体が個々の毛束に分離するように、歯１０４ａを毛髪の部分に押し込む。彼女は、各歯の間の毛髪部分の各部分が装置の背骨１０４ｂと接触するまで、櫛１０４ｃの歯１０４ａを毛髪の部分に押し続ける。図を参照してください。歯１０４ａと背骨１０４ｂとの間で分離された毛髪束ｌｇを示す図である。オペレータは、この時点でハンドル１０５ａを締め始める。
【０１６０】
以下では、図２８Ａおよび図２８Ｂを連続して参照のこと。オペレータがハンドル１０５ａを握ると、ハンドルヒンジ１０５ｂが前方に回動し、ハンドルヒンジ分岐部１０５ｃの接点座１０５ｄがスライド部材先端１０３ｃ、したがってスライド部材１０３ｂを前方に押す。これにより、各フック１０３ａは、櫛歯１０４ａの間のそれぞれの空間を横切ることによって開位置から閉位置にスライドする。以下の図２９Ａおよび図２９Ｂを連続して参照する。各フック１０３ａが各スペースを横切って移動するにつれて、各フック１０３ａは各スペース内に配置された髪の毛の塊に遭遇する。このようにして、各フック１０３ａは、毛束１ｂを巻き込み、毛束１ｂをアプリケータ１０８ａに押し付ける。
【０１６１】
オペレータは、この時点で、１つおきの櫛歯１０４ａの間に毛束１ｂを巻き込みさせる。これは、もちろん、巻き込みされていない他のすべての櫛歯１０４ａの間に髪の毛の塊があることを意味する。オペレータが櫛１０４ｃの歯１０４ａを毛髪の突出部分ｌｈに押し下げると、オペレータは、毛髪の突出部分を装置を保持していない手で進行させることができ、閉じた位置に巻き込まれない毛１ｇは、櫛１０４ｃの歯１０４ａの間から単に落ち、髪の毛Ｉｆの残りの部分に入る。
【０１６２】
液体ヘアカラーは、ネック１０４ｄおよび背骨１０４ｂに沿って長手方向に形成された管状チャンネルを介して、カラー容器１０６ａからアプリケータ１０８ａに移動され、主供給ライン１０９ａを形成する（図３０の断面図参照）。図３１に示すように、この供給ライン１０９ａは、フック１０３ａ及びアプリケータ１０８ａから櫛歯１０４ｂの反対側に沿って延びている。図示されているように、この主供給ライン１０９ａは、各カラーアプリケータ１０８ａの方に分岐し、１つおきの歯１０４ａの底から開く。したがって、ヘアカラーの容器１０６ａが装填された取手１０５ａを絞ると、ヘアカラーが各色アプリケータ１０８ａから毛１ｂの巻き込み部分に出る。
【０１６３】
アプリケータ１０８ａは、前述のアプリケータと機能的に非常に類似している。図３２に示すように、各アプリケータハウジング１０８ｂは、フックの中空部１０３ｄに面する側に開口した長方形の箱である。
【０１６４】
アプリケータハウジング１０８ｂは、好ましくは、アプリケータハウジング１０８ｂから部分的にフックの中空１０３ｂの方向に向かって延びる粘弾性フォーム１０８ｃの挿入によって占められている。
【０１６５】
フォームインサートのこの外向きに延びる部分の前面はアプリケータ面１０８ｄである。アプリケータ１０８ａが櫛部１０４ｃの前方に沿って配置されると、チャンネル１０８ｅがアプリケータ１０８ａの前面から発泡体１０８ｐの開口部まで延びる発泡面１０８ｄに形成される。図１に示すように、図３１に示すように、供給ライン１０９ａからの枝１０９ｂがアプリケータハウジング内に開口し（図３２参照）、この開口は泡開口１０８ｆに接続する。この顔面チャンネル１０８ｅは、毛髪部分１ｇが櫛の背骨１０４ｂと接触すると、歯１０４ａの間の空間を占める毛髪の部分と一致する（図２９Ａ〜図２９Ｂ参照）。フック１０３ａが毛１ｂの部分の上で閉じられると、毛１ｂの部分は、このフェイスチャンネル１０８ｅに加えて、フォーム１０８ｆの開口に押し込まれる。毛髪の部分が閉じた位置に引き込まれると、液体ヘアカラーは、供給ライン１０９ａを通ってアプリケータハウジング１０８ｂ内に移動する。この点から、色は、泡１０８ｆの開口部を通って、髪の毛の連行された部分１ｂｂおよび顔面チャンネル１０８ｅを通って移動し、そこで、色が、毛の色を帯びた巻き込み部分と共に前面からのみ閉鎖位置を出る（図２９，３０，３１，３２参照）。
【０１６６】
図３３Ａ〜図３３Ｂは、足延長部１０１ａ’の追加の実施形態を示す。この実施形態は、図２５Ａ〜Ｂに記載の足延長部１０１ａと形状および機能が同様である。図３３Ａ〜図３３Ｂに見られる足延長部１０１ａ’の追加の特徴は、正面に取り付けられたゴム面１０１Ｆである。図３３Ｂは、オペレータがハンドルを絞り始め、装置を受け手の頭部から引き離すようになったときに直ちに見られるように、閉じた位置から出てくる毛１ｂの巻き込み部分を示す。毛１ｂの巻き込み部分が閉鎖位置から現れると、フック延長部１００ａの頂面とゴムの底面１０１ｆとの間に絞りタイプの張力を通じてそうなる。これは、ゴムの前面１０１ｆが中空の足延長部１０１ａ’の前縁に対して平坦に固定されているときに生じる。フック延長部１００ａが足延長部１０１ａ’に対して閉鎖位置にあるので、足延長部１０１ａ’の内側エッジ間で、フック延長部１００ａに接触するボトムエッジに沿ってのみ、この面１０１ｆが開く。また、この開口部は、巻き込み部分１ｂが通過するフック延長部１００ａの領域上に配置される。この配置は、正確に色を巻き込み部分１ｂに流し、色をより均一に分配させる。図２５Ａ〜図２５Ｂに示した実施の形態も、ゴム面１０１ｆを利用してもよい。
【０１６７】
図３４Ａ〜図３４Ｂは、足部延長部１０１ａ’の追加の実施形態を特徴とする本発明の意図を有するフックアプリケータ１ａを示しており、ゴム面１０ｆが正面から取り外されている。これは、それぞれがハーフトーン（ノズルシール１１ｂおよび足延長シール１０１ｂは実際には１つの連続シールである）で示されているように、ノズルシール１１ｂおよび足延長シール１０１ｂをより完全に見るためである。フック２ａとフック延長部１００ａとをアプリケータノズル１１ａと足延長部１０１ａとが閉位置に結合する各面は、閉鎖位置で封止されていることに留意されたい。
【０１６８】
図２７Ａ−Ｂの足伸長シール１０１ｂと図３４Ａ〜Ｂの足伸長シールとの間の差に注意のこと。前記図２７Ａ−Ｂのシールは、飽和チャンバー１０２ａをほぼ充填し、それによって、巻き込んだ部分が飽和室１０２ａを通過してそこから現れるときに、シール折り目あるいは発泡チャンネル１０１ｅの形を利用して色を巻き込んだ髪の部分に排他的に向ける。
【０１６９】
これと比較して、図３４  Ａ−Ｂシール１０１ｂは、足延長部１００ａと接触する足延長部１０１ａの表面のみを占有し、飽和チャンバー１０２ａ内の空間を開いたままにする。したがって、図３４Ａ−Ｂの唯一の目的は、図３４Ａ−Ｂのシール１０１ｂは、閉鎖位置からの色の漏れを防止し、ゴムフェーシングの中心の下端縁（図３３Ｂ、図１０Ｆ参照）とフック延長部１０１ａの前面、上面との間からのみ色を流すことを可能にする。このシール１０１ｂはまた、飽和チャンバー１０２ａの内部を色で満たして、飽和チャンバー１０２ａから出る前に巻き込み部分ｌｂを飽和させるのを助ける。
【０１７０】
飽和チャンバー１０２ａ内の空間は図３４Ａ〜図３４Ｂに開いているように示され、任意の数の色展開要素を空間に組み込むことができる。先に図２６Ａ〜Ｄで説明したステップダウン１００ｄに加えて、これらの要素は、フック延長部１００ａ（図３５参照）の内側のリブ付きの表面１００ｆを含むことができる。ブリストル１１０ｈは、足延長部１０１ａの内側から下方に延びることができる（図３６参照）。また、内部絞り１０１１は、足延長部１０１ａの内側に配置されてもよい（図３７参照）。閉じた位置の内部の多数の幾何学的変形は、絡み合った毛の部分と相互作用し、閉じた位置を通って移動するときに巻き込み部分の中および周りの色をそらす。
【０１７１】
以下の説明では、まっすぐの正面図３８Ａ−Ｄの表面を参照する。これらは透視図ではないので、いくつかの参照面の正確な位置は見えず、実際にはリード線が指し示す面の反対側に位置する。この不都合は、記載された表面の主要な相互作用がこの正面図で最もよく描写されるため、必要である。
【０１７２】
この部分で説明されている表面のより正確な位置については、図３４Ａ〜Ｂも参照のこと。続いて、２つの実施形態の相違点を説明すると、足ブリッジ４ｄならびに足ブリッジ４ｄからの延長部分は、足延長部１０１ａの図２７Ａ〜Ｂの実施の形態の同様の面よりも、図３８Ａ〜Ｄの外側の右側に向かって、より狭く、離れた位置にあることに注意のこと。
【０１７３】
足ブリッジ４ｄをこのように配置することにより、足ポイント３ａは、足拡張シールのはさみエッジ１１０ｇに遭遇する前に、頭皮からより遠くに旋回され、閉じた位置に近づくことが可能になる。シーケンスについては図３８Ａ〜Ｄを参照し、フック点３ａの位置が開位置から閉位置に旋回するときのフック点３ａの位置に注意のこと。図３８Ａおよび図３８Ｂは、頭皮１ｆに向かっておよび頭皮１ｆに沿って旋回するフックポイント３ａをそれぞれ示し、図３８Ｃおよび図３８Ｄは、毛髪１ｂの部分を巻き込ませ、頭皮から離れるように旋回して、図２７Ａ−Ｂ実施形態に比べて、足伸長シールはさみ縁部１１０ｇに遭遇する前に、さらに遠くに旋回する。この増加した離隔係数は、髪の毛１ｂの巻き込み部分が、フックポイント３ａが足伸長シール鋏エッジ１１０ｇに出会う前に、フック空洞２ｄ上にさらに奥に摺動する機会を増やすことを可能にする。この離間要因はまた、フックポイント３ａが足延長部シールハサミエッジ１００ｇに遭遇している位置にあまりにも近すぎて、フックポイント３ａが毛髪１ｂを巻き込み続けることができなくなるのを防止する。これは、使用中に髪の毛がフック２ａと前記シール縁１００ｇとの間に挟まれる機会を作り出す。同様に、この髪の毛のピンチングの問題は、巻き込み区間ｌｂが結果的に、フック延長部１００ａ内に掬い上げられるため、避けることができる。髪１ｂの巻き込み部分は、フック延長接触端１００ｅが脚延長シール１０１ｂと接触する前に、フック延長１００ａのさらに後ろに滑るより多くの機会を有する。その、髪の毛の浮き出し部分にはより多くのスライドがある。
【０１７４】
ここでは、装置のハンドルの締め付けおよび解放によるヘアカラーの分配によるフックの開閉を直列に調整するための代替的な機械的手段が記載されている。
【０１７５】
レバー２４ａがレベルパレット２２に作用するためにレバー２４ａがレバーボタン２４ｄとどのように相互作用して、ハンドル２０ａ’が握られるときにカラー容器５１ａからヘアカラーを搾る機械的手段としての説明が記載されている（図１０Ａ〜Ｄの説明を参照）。この機械的動作は、これまでの説明と機能的に同一であるので、以下では説明しない。異なるのは、フック２ａの開閉によってハンドル２０ａ’の絞りおよび解放を調整することを担う機械的手段である。図１０を参照のこと。これらの機械的手段の説明については、図３９Ａ〜Ｄを参照されたい。
【０１７６】
図８は、ヘッドマウント１５を形成するために複数の直角に曲がった一見して単一のロッドを示し、別個の部品としてハンドル２０ａの上部ハンドル部分２０ｂに取り付けられている。図３９Ａのヘッドマウント１５’は、平らで幅が広く、トップハンドル部２０ｂ’とヘッドマウント１５’とが連続した１つの部分となるように成形されていることに注意のこと。ヘッドマウント１５’の図３９Ａの変形例は、以下に説明するラックスライドアセンブリに対してより導電性を有し、また、製造および審美的観点から改善している。
【０１７７】
図３９Ａはまた、ヘッド１４ａが図３９Ａのこの代替ヘッドマウント１５’にどのように取り付けられているかを示すために、および、ヘッドブラケット１４ｂとラックギア７ａとをより明確に示すために、それの前に現れる部分によって妨げられない、ヘッドマウント１５’から離れたヘッド１４ａを示している。
【０１７８】
ヘッド１４ａがヘッドマウント１５’に組み付けられた状態の図３９  Ａを続けて参照して、ヘッドブラケット１４ｂの端部及びラックギア７ａの端部は、ヘッドブラケット座１４ｇおよびラックギアシート１４ｈ内部に設けられるが、そこには固定されず、そこから伸びている。
【０１７９】
ヘッドブラケット１４ｂと視認されないヘッド１４ａの視認されない側のラックギア７ａ端も同様に着座するが、固定されていない。これにより、頭部１４ａが頭皮の湾曲部に一層容易に撓むことが可能になる。取り外し可能なペグ１４ｉ、コッタピン等も、ヘッドブラケット１４ｂの１つ以上の遠位端に着座して、ヘッドブラケット１４ｂがヘッドブラケット座１４ｇに着座しているときの移動を自由にすることができ、ヘッドブラケット１４ｂをヘッドマウント１５’から意図せず離脱させる。
【０１８０】
以下では、ハンドル２０ａ’の最初の締め付けによりフック２ａを閉鎖位置にもたらす一連の機械的動作について説明する。この一連の機械的動作には、ラックギア７ａ、スプリットスライド１１０、スプリットスライドアクチュエータ１１１ａ、アクチュエータ歯１１２ａおよび旋回ロッド１１３ａが含まれる。これらの部品は、ラックスライドアセンブリとして一緒に参照される。
【０１８１】
ラックスライドアセンブリの機能的シーケンスの以下の説明については、図３９Ａ〜Ｄを参照されたい。図３９Ｂは、透明なヘッドマウント１５’と、ラックスライドアセンブリ全体の全体にわたってより大きな視覚的明瞭性を提供するためのラックスライドアセンブリの部分分解図を含む。
【０１８２】
図３９Ａ〜図３９Ｂは、装置、したがって開放休止位置にあるラックスライドアセンブリを示す。
【０１８３】
図３９Ｃは、完全開放位置からハンドル２０ａ’位置に圧縮されたハンドル２０ａ’がカラー容器５１ａに押し付けられることなくフック２ａと完全に係合する様子を示している。また、ハンドル２０ａのこの部分的な圧縮が、アクチュエータ歯１１２ａの歯先１１２ｂをスプリットスライドアクチュエータ１１１ａの上に移動させることに留意されたい。アクチュエータの先端１１２ｂがスプリットスライドアクチュエータ１１１ａに向かって上方に移動すると、スプリットスライドアクチュエータ１１１ａがヘッドマウント旋回点１１１ｂで旋回する。スプリットスライドアクチュエータ１１１ａがヘッドマウント旋回点１１１ｂを中心に旋回すると、アクチュエータ１１１ａの頂部が前方にレバーされ、アクチュエータ１１１ａの底部がレバーバックする。その結果、分割スライド１１０ａは、分割スライド１１０ａの後部に位置する分割スライドペグ１１０ｃが分割スライドアクチュエータアイレット１１１ｃのところで分割スライドアクチュエータ１１１ａの底部に着座すると、後退する（アクチュエータアイレット１１１ｃについては図３９Ｂも参照）。
【０１８４】
ここで、分割スライド１１０ａが後退している間に、旋回ロッド１１３ａのくさび接触点１１３ｂが、分割スライド１１０ａの各くさび部１１０ｂの徐々に外側に延びる角度に沿ってスライドし、旋回ロッド１１３ａのくさび接触点１１３ｂを側面に移動する。旋回ロッド１１３ａの反対側の端部が旋回ロッドシート１１３ｃ内に位置決めされると、旋回ロッド１１３ａは側部旋回に厳密に閉じ込められる（旋回ロッドシート１１３ｃについては図３９Ａを参照）。
【０１８５】
（図３９Ｃをまだ参照して）、旋回ロッド１１３ａのくさび接触点１１３ｂがラックギア７ａの旋回ロッドアイレット１１３ｄ内に位置すると、旋回ロッド１１３ａの側方移動によってラックギア７ａも同様に移動する（旋回ロッドアイレット１１３ｄおよびラックギア７ａについては図３９Ａ−Ｂを参照）。分割スライド１１０ａの分割構成により、分割スライド１１０ａの一方のくさび部１１０ｂがラックギア７ａの上方に位置し、一方のくさび部１１０ｂがラックギア７ａの下方に位置する。この分割構成により、旋回ロッド１１３ａのウェッジ接点１１３ｂによってラックギア７ａにバランスのとれた横方向の張力が加えられる。ラックギア７ａが移動する距離は、分割スライド１１０ａのくさび部１１０ｂの幅と等しいので、フック２ａが回動する距離は、これによって決定される。
【０１８６】
最後に、図３９Ｃに示すように、旋回ロッド１１３ａの楔接点１１３ｂによって側方に移動されたラックギア７ａは、フック２ａを閉位置に回動させる。
【０１８７】
図３９Ｄは、図１８に示す位置に残っているスプリットスライドアクチュエータ１１１ａを示す。ハンドル２０ａが全閉位置にあるときでさえ、アクチュエータ歯１１２ａの歯先１１２ｂがスプリットスライドアクチュエータ１１１ａから離れるように持ち上げられても、図３９Ｃに示すように、これにより、ハンドル２０ａは、フック２ａを閉位置に維持したまま、閉位置に完全に押し込まれることが可能になる。
【０１８８】
ハンドル２０ａ’が解放されると、歯先部１１２ｂが下降し、スプリットスライドアクチュエータストップ１１ｌｄに遭遇する。前記停止部１１ｌｄは、分割スライドアクチュエータ１１１ａの底部に広がった傾斜部分である。尖頭１１２ｂがスプリットスライドアクチュエータストップ１１ｌｄを押し下げると、ハンドルヒンジバネ２１ｂの張力によって、スプリットスライドアクチュエータ１１１ａは、図８に示す休止位置に旋回バックする。ラックスライドアセンブリの残りの部分と共に、図３９Ａおよび図３９Ｂに示されるように、ラックギア７ａおよびフック２ａを開放位置に戻す。
【０１８９】
以下は、装置のオペレータが髪の巻き込み部分のサイズを調整することを可能にする有用な実施形態の特徴の説明である。図４０Ａ〜図４０Ｂは、右側ヘッドマウント１５’上に配置されたダイヤル１１４ａに気付く。このダイヤル１１４ａの目的は、フック２ａの先端と各足ブリッジ４ｄの内縁との間の距離を調整することである。前記部分の間の間隔（一般に、髪の毛巻き込みが生じる頭皮に十分近接した位置と、フック先端部３ａが足ブリッジ４ｄに遭遇する点の範囲内）は、各フック２ａによって巻き込みされる毛髪の部分の幅にほぼ等しい。このダイヤル１１４ａは、指および親指の先端によって回転される小さな隆起円板１１４ａからなる。シャフト１１４ｂは、このダイヤル１１４ａの内側に固定されかつ中心に配置され、右側ヘッドマウント１５’の開口を通って延びている。この開口は、シャフト１１４ｂの直径にほぼ等しい。シャフト１１４ｂは、ヘッドマウント１５’の反対側から延び、他の楕円形のディスク１１４ｃに固定されているので、外側のディスク１１４ａを回転させると内側のディスク１１４ｃが回転する。ハンドルが全開位置にあるとき、スプリットスライドアクチュエータ歯１１２ａの下縁は、楕円形ディスク１１４ｃの上端と接触している。このようにして、楕円形ディスク１１４ｃは、底部ハンドル部分の残りの停止部として機能する。ここで、ハンドルが開放位置に解放された状態で、オペレータは、ダイヤル１１４ａを完全な回転の半分前後に回すことができる。これが起こると、ハンドルを構成する２つのヒンジ部分は、ダイヤル１１４ａの回転と並行して互いに少し接近して互いに離れるようになることに留意されたい。このわずかな開閉は、ダイヤル１１４ａに取り付けられた楕円形円板１１４ｃが、やはり楕円形１４ｃであり、したがって、楕円形円盤１１４ｃの上端をシャフト１１４ｂおよびダイヤル１１４ａに対して高くまたは低くする。ダイヤル１１４ａの下位置については、図４０Ａを参照し、ダイヤル１１４ａを高位置については、図４０Ｂを参照のこと。
【０１９０】
前述したように、ラックスライド組立体は係合されているので、ハンドルの最初の締め付けによってフック２ａが回転される。同様に、ダイヤル１１４ａの回転によって引き起こされるハンドルの僅かな初期締め付けもまた、フック２ａをわずかに回転させる。その結果、ダイヤル１１４ａの位置が異なると、フックチップ３ａと足ブリッジ４ｄとの間の間隔が変化する。図４０（ａ）はフック先端３ａと足ブリッジ４ｄとの間隔を広げる位置にあるダイヤルを示し、図４０（ｂ）は、フック先端３ａと足ブリッジ４ｄとの間隔を狭くする位置にあるダイヤル１１４ａを示している。
【０１９１】
このダイヤル１１４ａは、ダイヤル１１４ａがオペレータによってセットされ解放されると、ダイヤル１１４ａが所定の位置に留まるのに十分な回転摩擦を生成するために、ヘッドマウント１５’にしっかりと取り付けられている。ダイヤル１１４ａの縁には、矢印またはドットが配置されてもよい。この矢印またはドットは、ヘッドマウント１５’上にインジケータマークを配置して整列していてもよい。これらのマーキングは、ダイヤル１１４ａを部分的に取り囲んで、ダイヤル１１４ａが回転すると、ドットまたは矢印は、巻き込まれた毛束の特定の幅の指標としてマーキングと整列することができる。
【０１９２】
図４１は、ヘッドフード１１５ａおよびヒンジフード１１６を含む装置の好ましい実施形態を示す。ヘッドフード１１５ａおよびヒンジフード１１６は、美的ならびに人間工学的で安全な特徴を表す。ヘッドフード１１５ａはハンドル２０ｂの頂部の前部にヒンジ１１５ｄで枢着されている。ヘッドフード１１５ａは、フードラッチ１１５ｂおよびフードペッグ１１５ｃによって定位置に保持される。図４１Ａに示すように、ヘッドフード１１５ａは、ラッチ１１５ｂを上方に回転させてペグ１１５ｃから離し、単にヘッドフード１１５ａを持ち上げることによって、持ち上げることができる。ヘッドフード１１５ａおよびラッチ１１５ｂの両方は、ラッチ１１５ｂが持ち上げられたときにヘッドフード１１５ａが自動的に開くようにバネ負荷されてもよい。ラッチ１１５ｂの前部は、ヘッドフード１１５ａが閉じられると、ペグの側面がラッチの前部に沿って摺動し、ラッチを持ち上げるように成形され位置決めされる。一旦フードが完全に閉じられると、バネ付勢ラッチ１１５ｂは自動的にペグ１１５ｃと係合する。
【０１９３】
図４２Ａおよび図４２Ｂは、マニホールドリトラクタ１１７ａである。オペレータがカラー容器５１ａを装置の前面に装填すると、オペレータはヘッドフード１１５ａを持ち上げ、マニホールド５３ａを露出させる。マニホールドホース５３ｂがゴムで構成されているので、オペレータは、マニホールド５３ａの前面のマニホールドリトラクタ１１７ａを把持し、マニホールド５３ａを下方に曲げてマニホールドリトラクタ１１７ａをマニホールドフック１１７ｂ上に配置し、それによって、マニホールド５３ａを下降させて邪魔にならないようにし、オペレータがカラー容器５１ａを装置の正面に装填するためのより良いアクセスを可能にする。
【図１Ａ】
2018535777.tif 000003
【図１Ｂ】
2018535777.tif 000004
【図１Ｃ】
2018535777.tif 000005
【図１Ｄ】
2018535777.tif 000006
【図２Ａ】
2018535777.tif 000007
【図２Ｂ】
2018535777.tif 000008
【図２Ｃ】
2018535777.tif 000009
【図３Ａ】
2018535777.tif 000010
【図３Ｂ】
2018535777.tif 000011
【図３Ｃ】
2018535777.tif 000012
【図３Ｄ】
2018535777.tif 000013
【図４Ａ】
2018535777.tif 000014
【図４Ｂ】
2018535777.tif 000015
【図４Ｃ】
2018535777.tif 000016
【図４Ｄ】
2018535777.tif 000017
【図５Ａ】
2018535777.tif 000018
【図５ｂ】
2018535777.tif 000019
【図６Ａ】
2018535777.tif 000020
【図６Ｂ】
2018535777.tif 000021
【図７Ａ】
2018535777.tif 000022
【図７Ｂ】
2018535777.tif 000023
【図８】
2018535777.tif 000024
【図９Ａ】
2018535777.tif 000025
【図９Ｂ】
2018535777.tif 000026
【図９Ｃ】
2018535777.tif 000027
【図９Ｄ】
2018535777.tif 000028
【図１０Ａ】
2018535777.tif 000029
【図１０Ｂ】
2018535777.tif 000030
【図１０Ｃ】
2018535777.tif 000031
【図１０Ｄ】
2018535777.tif 000032
【図１１Ａ】
2018535777.tif 000033
【図１１Ｂ】
2018535777.tif 000034
【図１２Ａ】
2018535777.tif 000035
【図１２Ｂ】
2018535777.tif 000036
【図１２Ｃ】
2018535777.tif 000037
【図１３】
2018535777.tif 000038
【図１４Ａ】
2018535777.tif 000039
【図１４Ｂ】
2018535777.tif 000040
【図１５Ａ】
2018535777.tif 000041
【図１５Ｂ】
2018535777.tif 000042
【図１６Ａ】
2018535777.tif 000043
【図１６Ｂ】
2018535777.tif 000044
【図１７】
2018535777.tif 000045
【図１８】
2018535777.tif 000046
【図１９Ａ】
2018535777.tif 000047
【図１９Ｂ】
2018535777.tif 000048
【図１９Ｃ】
2018535777.tif 000049
【図１９Ｄ】
2018535777.tif 000050
【図１９Ｅ】
2018535777.tif 000051
【図２０Ａ】
2018535777.tif 000052
【図２０Ｂ】
2018535777.tif 000053
【図２１Ａ】
2018535777.tif 000054
【図２１Ｂ】
2018535777.tif 000055
【図２１Ｃ】
2018535777.tif 000056
【図２２Ａ】
2018535777.tif 000057
【図２２Ｂ】
2018535777.tif 000058
【図２２Ｃ】
2018535777.tif 000059
【図２２Ｄ】
2018535777.tif 000060
【図２２Ｅ】
2018535777.tif 000061
【図２２Ｆ】
2018535777.tif 000062
【図２３Ａ】
2018535777.tif 000063
【図２３Ｂ】
2018535777.tif 000064
【図２３Ｃ】
2018535777.tif 000065
【図２４Ａ】
2018535777.tif 000066
【図２４Ｂ】
2018535777.tif 000067
【図２４Ｃ】
2018535777.tif 000068
【図２４Ｄ】
2018535777.tif 000069
【図２５Ａ】
2018535777.tif 000070
【図２５Ｂ】
2018535777.tif 000071
【図２６Ａ】
2018535777.tif 000072
【図２６Ｂ】
2018535777.tif 000073
【図２６Ｃ】
2018535777.tif 000074
【図２６Ｄ】
2018535777.tif 000075
【図２７Ａ】
2018535777.tif 000076
【図２７Ｂ】
2018535777.tif 000077
【図２８Ａ】
2018535777.tif 000078
【図２８Ｂ】
2018535777.tif 000079
【図２８Ｃ】
2018535777.tif 000080
【図２９Ａ】
2018535777.tif 000081
【図２９Ｂ】
2018535777.tif 000082
【図３０】
2018535777.tif 000083
【図３１】
2018535777.tif 000084
【図３２】
2018535777.tif 000085
【図３３Ａ】
2018535777.tif 000086
【図３３Ｂ】
2018535777.tif 000087
【図３４Ａ】
2018535777.tif 000088
【図３４Ｂ】
2018535777.tif 000089
【図３５】
2018535777.tif 000090
【図３６】
2018535777.tif 000091
【図３７】
2018535777.tif 000092
【図３８Ａ】
2018535777.tif 000093
【図３８Ｂ】
2018535777.tif 000094
【図３８Ｃ】
2018535777.tif 000095
【図３８Ｄ】
2018535777.tif 000096
【図３９Ａ】
2018535777.tif 000097
【図３９Ｂ】
2018535777.tif 000098
【図３９Ｃ】
2018535777.tif 000099
【図３９Ｄ】
2018535777.tif 000100
【図４０Ａ】
2018535777.tif 000101
【図４０Ｂ】
2018535777.tif 000102
【図４１】
2018535777.tif 000103
【図４２Ａ】
2018535777.tif 000104
【図４２Ｂ】
2018535777.tif 000105
【国際調査報告】
2018535777.tif 000106
2018535777.tif 000107
2018535777.tif 000108